(57)【要約】【課題】  下降過程時及び／又は上昇過程時に迅速性及び柔軟性について改善された、同時に効率的で、及び／又は確実な圧力媒体供給設備の動作形態が可能な装置及び方法を提供すること。【解決手段】  圧力媒体供給部と、圧力媒体充填接続部１．１と、吸込み管路２０と、コンプレッサ管路２１と、空圧メイン管路６０と、抜気管路７０と、圧力媒体充填管路２０．１とを備えた圧力媒体供給設備において、第２の圧縮段３１．２への充填された圧力媒体ｇＤＭと、第１の圧縮段３１．１から供給される別の圧力媒体ｔＤＭとの同時の案内のために充填設備３０．１が形成されている。
2015518116.tif 000002
【特許請求の範囲】
【請求項１】
特に選択的に開放された動作、部分的に閉鎖された動作又は閉鎖された動作のために形成された、リザーバ（９２）又はこれに類する圧力媒体貯留容器並びに複数のベロー（９１）又はこれに類するもの及び複数の圧力媒体チャンバを有する空圧設備の動作のための圧力媒体供給設備（１０．１，１０．２，１０．３，１０．４）であって、
−圧力媒体供給側において第１及び第２の圧縮段（３１．１，３１．２）を有する２段又はそれより多段のコンプレッサ（３１）を持った充填装置（３０．１，３０．２，３０．３，３０．４）が接続された１つの圧力媒体供給部（１）と、
−前記空圧設備（９０．１，９０．２，９０．３，９０．４）への圧力媒体接続部（２）、周囲への排気接続部（３）及び前記空圧設備への圧力媒体充填接続部（１．１，１．２）と、
−周囲への吸込み接続部（０）と前記コンプレッサ（３１）の間の、前記コンプレッサ（３１）の吸込み側の吸込み管路（２０）と、
−前記第１と前記第２の圧縮段（３１．１，３１．２）の間のコンプレッサ管路（２１）と、
−前記圧力媒体供給部（１）と前記圧力媒体接続部（２）の間の空圧メイン管路（６０）と、
−前記圧力媒体接続部（１）と排気バルブ（７１）を有する前記排気接続部（３）との間の排気管路（７０）と、
−少なくとも１つの前記圧力媒体充填接続部（１．１，１．２）と前記コンプレッサ管路（２１）の間の少なくとも１つの圧力媒体充填管路（２０．１，２０．２）と
を備えた前記圧力媒体供給設備において、
前記第２の圧縮段（３１．２）への、少なくとも１つの前記圧力媒体充填接続部（１．１，１．２）に滞っている充填された圧力媒体（ｇＤＭ）と、前記第１の圧縮段（３１．１）から供給される別の圧力媒体（ｔＤＭ）との同時の案内のために前記充填装置（３０．１，３０．２，３０．３，３０．４）が形成されていることを特徴とする圧力媒体供給設備。
【請求項２】
前記第２の圧縮段（３１．２）への前記充填された圧力媒体（ｇＤＭ）と前記別の圧力媒体（ｔＤＭ）の同時の案内のために前記コンプレッサ管路（２１）が形成されていることを特徴とする請求項１記載の圧力媒体供給設備。
【請求項３】
支持圧力なしでの前記第２の圧縮段（３１．２）への前記充填された圧力媒体（ｇＤＭ）と前記別の圧力媒体（ｔＤＭ）の同時の案内のために、前記コンプレッサ管路（２１）が形成されていることを特徴とする請求項１又は２記載の圧力媒体供給設備。
【請求項４】
前記コンプレッサ管路（２１）が遮断手段及び／又は閉ループ制御手段なしに形成されていることを特徴とする請求項１〜３のいずれか１項に記載の圧力媒体供給設備。
【請求項５】
第１の圧力媒体充填接続部（１．１）と前記コンプレッサ管路（２１）の間の第１の圧力媒体充填管路（２０．１）が１つの第１の絞り（４１，４３）を備え、かつ／又は第２の圧力媒体充填接続部（１．２）と前記コンプレッサ管路（２１）の間の第２の圧力媒体充填管路（２０．２）が１つの第２の絞り（４２，４４）を備えており、１つの第１の絞り（４１，４３）及び／又は１つの第２の絞り（４２，４４）が公称幅を有し、該公称幅が、前記コンプレッサ管路（２１）に対して前記第１及び／又は前記第２の圧力媒体充填管路（２０．１，２０．２）における圧力降下を生じさせるように形成されていることを特徴とする請求項１〜４のいずれか１項に記載の圧力媒体供給設備。
【請求項６】
前記第１及び／又は前記第２の圧力媒体充填管路（２０．１，２０．２）における圧力の１／３と１／２の間の大きさを有する圧力降下を生じ得るとともに、圧力降下の大きさが８〜１０ｂａｒの範囲にあり、特に前記第１及び／又は前記第２の絞り（４１，４２，４３，４４）の公称幅により閉ループ制御され、又は閉ループ制御されずに、特に１５〜２５ｂａｒの範囲から５〜１５ｂａｒの範囲への圧力降下が生じ得ることを特徴とする請求項１〜５のいずれか１項に記載の圧力媒体供給設備。
【請求項７】
１つの第１の絞り（４１，４３）及び／又は１つの第２の絞り（４２，４４）が１つの公称幅を有し、該公称幅が０．５〜１．５ｍｍの範囲、特に０．６〜１．２ｍｍの範囲、特に０．６〜０．８ｍｍの範囲にあることを特徴とする請求項１〜６のいずれか１項に記載の圧力媒体供給設備。
【請求項８】
１つの第１の及び／又は１つの第２の絞り（４３，４４）が１つの固定された公称幅を有するか、又は１つの第１の及び／又は１つの第２の絞り（４１，４２）が調整可能な公称幅を有することを特徴とする請求項１〜７のいずれか１項に記載の圧力媒体供給設備。
【請求項９】
１つの第１の圧力媒体接続部（１．１）に１つの第１の充填バルブ（５１）が接続されているか若しくは接続可能であり、及び／又は１つの第２の圧力媒体接続部（１．２）に１つの第２の充填バルブ（５２）が接続されているか若しくは接続可能であることを特徴とする請求項１〜８のいずれか１項に記載の圧力媒体供給設備。
【請求項１０】
前記充填装置（３０．１，３０．２，３０．３，３０．４）、特にコンプレッサ管路（２１）が、１つの第１の及び／又は第２の充填バルブ（５１，５２）の切換状態に依存して、前記充填された圧力媒体（ｇＤＭ）と前記別の圧力媒体（ｔＤＭ）の同時の案内のために形成されていることを特徴とする請求項１〜９のいずれか１項に記載の圧力媒体供給設備。
【請求項１１】
請求項１〜１０のいずれか１項に記載の圧力媒体供給設備（１０．１，１０．２，１０．３，１０．４）と、１つのリザーバ（９２）又はこれに類する圧力媒体貯留容器、複数のベロー（９１）又はこれに類するもの及び複数の圧力媒体チャンバを備えた圧力媒体バネ設備の形態の空圧設備（９０．１，９０．２，９０．３，９０．４）とを有する空圧システム（１００．１，１００．２，１００．３，１００．４）。
【請求項１２】
前記圧力媒体貯留容器が１２リットルより小さな構造空間容積、特に４〜１２リットルの構造空間容積、特に４〜６リットルの構造空間容積を有していることを特徴とする請求項１１記載の空圧システム。
【請求項１３】
前記圧力媒体貯留容器が前記空圧設備（９０．１，９０．２，９０．３，９０．４）の一部として１つのリザーバ管路（９２Ｌ）を介してギャラリ（９５）に接続されているとともに、少なくとも１つの充填分岐管路（９２ＺＬ．１，９２ＺＬ．２）が空圧的な構成要素の１つ又は複数から分岐しており、該構成要素が、１つのリザーバ（図１における９２）、前記ギャラリ（９５．１）への１つの空圧的な配管（図２における９６．３）、１つのギャラリ（図３における９５）及び１つのリザーバ管路（図４における９２Ｌ）を含んでいることを特徴とする請求項１１又は１２記載の空圧システム。
【請求項１４】
第１の複数の切換バルブ、特に１つのベローバルブ（９１Ｌ）及び１つの充填バルブ（５２）が、１つの第１のバルブブロック（９８．１）、特に５つが統合されたブロック又は６つが統合されたブロックにおいて統合されており、及び第２の複数の切換バルブ、特に１つのリザーババルブ（９４）及び／又は１つの分離バルブ（９９）が、第２のバルブブロック（９８．２）、特に２つが統合されたブロックにおいて統合されていることを特徴とする請求項１１〜１３のいずれか１項に記載の空圧システム。
【請求項１５】
特に選択的な開放された動作、部分的に閉鎖された動作又は閉鎖された動作における、特に請求項１１〜１４のいずれか１項に記載の空圧システムの動作のための、特に請求項１〜１０のいずれか１項に記載の圧力媒体供給設備の動作のための方法であって、以下のステップ：
−１つのコンプレッサ（３１）の前記第２の圧縮段（３１．２）への、少なくとも１つの前記圧力媒体充填接続部（１．１，１．２）で滞っている充填された圧力媒体（ｇＤＭ）と、コンプレッサ（３１）の前記第１の圧縮段（３１．１）から供給される別の圧力媒体（ｔＤＭ）との同時の案内
を備えている前記方法。
【請求項１６】
前記充填された圧力媒体（ｇＤＭ）及び前記別の圧力媒体（ｔＤＭ）が、特に少なくとも１つの圧力媒体充填管路（２０．１，２０．２）を介して同時に若しくは順次に、及び／又は１つのコンプレッサ管路（２１）を介して同時に若しくは順次に案内方向に抗して作用する支持圧力なしに案内されることを特徴とする請求項１５記載の方法。
【請求項１７】
前記充填された圧力媒体（ｇＤＭ）が少なくとも１つの圧力媒体充填接続部（１．１，１．２）から前記第２の圧縮段（３１．２）へ供給され、この圧力媒体が、更に圧縮されて前記圧力媒体供給部（１）と前記圧力媒体接続部（２）の間の前記空圧メイン管路（６０）を介して前記空圧設備（９０．１，９０．２，９０．３，９０．４）へ供給されることを特徴とする請求項１５又は１６記載の方法。
【請求項１８】
前記別の圧力媒体（ｔＤＭ）が、前記第１の圧縮段（３１．１）、特に吸込み管路（２０）及びコンプレッサ管路（２１）を介して前記吸込み接続部（０）から供給され、かつ、前記第２の圧縮段（３１．２）へ供給され、この圧力媒体が、更に圧縮されて、前記圧力媒体供給部（１）と前記圧力媒体接続部（２）の間の１つの空圧メイン管路（６０）を介して前記空圧設備（９０．１，９０．２，９０．３，９０．４）へ供給されることを特徴とする請求項１５〜１７のいずれか１項に記載の方法。
【請求項１９】
−空圧設備によって変換可能な下降過程のために、前記圧力媒体供給設備が選択的に開放されて（Ａ１）、閉鎖されて（Ａ２）、又は部分的に閉鎖されて（Ａ３）動作されること、及び／又は
−前記空圧設備によって生じる上昇過程のために、前記圧力媒体供給設備が選択的に開放されて（Ｈ１）、閉鎖されて（Ｈ２）、又は部分的に閉鎖されて（Ｈ３）動作されること
を特徴とする請求項１５〜１８のいずれか１項に記載の方法。
【請求項２０】
１つの下降過程のために、前記圧力媒体供給設備が、選択的に、１つの圧力媒体チャンバから前記排気接続部（３）へ圧力媒体を排出しながら開放され、かつ／又は少なくとも１つの圧力媒体接続部（１．１，１．２）において滞っている充填された圧力媒体（ｇＤＭ）を案内しながら、かつ前記第２の圧縮段（３１．２）への案内方向において前記第１の圧縮段（３１．１）から供給される別の圧力媒体（ｔＤＭ）を案内しながら、１つの圧力媒体チャンバから前記圧力媒体貯留容器へ前記コンプレッサ（３１）を介して排出しながら閉鎖されて、かつ／又は特に上記両動作種類に関与しながら、適宜の順序で順次に、又は少なくとも一時的に同時に、１つの圧力媒体チャンバから前記排気接続部（３）へ、かつ１つの圧力媒体チャンバから前記圧力媒体貯留容器への圧力媒体を排出しながら部分的に閉鎖されて動作されることを特徴とする請求項１５〜１９のいずれか１項に記載の方法。
【請求項２１】
１つの上昇過程のために、前記圧力媒体供給設備が、選択的に、前記コンプレッサ（３１）を介した前記圧力媒体接続部（２）への圧力媒体の供給のみをしながら開放されて、かつ／又は１つのギャラリ（９５）を介した１つの圧力媒体貯留容器から１つの圧力媒体チャンバへ圧力媒体を排出しながら閉鎖されて、かつ／又は特に上記両動作種類を関与させながら、連続して、又は少なくとも一時的に同時に、少なくとも１つの前記圧力媒体接続部（１．１，１．２）において滞っている充填された圧力媒体（ｇＤＭ）及び前記第１の圧縮段から供給される別の圧力媒体（ｔＤＭ）を案内方向において前記第２の圧縮段（３１．２）へ案内しながら部分的に閉鎖されて動作されることを特徴とする請求項１５〜２０のいずれか１項に記載の方法。
【請求項２２】
１つの部分的に閉鎖された上昇過程及び／又は下降過程の範囲において、前記空圧メイン管路（６０）での乾燥装置（６２）を再生をしながら前記排気接続部（３）への排気過程がなされることを特徴とする請求項１５〜２１のいずれか１項に記載の方法。
【請求項２３】
前記乾燥装置（６２）の再生の範囲において、前記空圧設備内に存在する押圧容積の目標押圧容積への低下がなされ、特に前記第１の圧縮段（３１．１）によって部分的な上昇過程中及び／又は下降過程中に供給された押圧容積の少なくとも一部が前記乾燥装置（６２）の再生に使用されることを特徴とする請求項２２記載の方法。
【発明の詳細な説明】
【技術分野】
【０００１】
本発明は、請求項１の前提部分に基づく空圧設備の動作のための圧力媒体供給設備に関するものである。この圧力媒体供給設備は、圧力媒体供給部、圧力媒体接続部、空圧設備及び吸込み管路への少なくとも１つの圧力媒体接続部、コンプレッサ管路、排気管路及び少なくとも１つの圧力媒体充填管路を備えている。本発明は、圧力媒体供給設備及び空圧設備を備えた空圧システムに関するものでもある。さらに、本発明は、圧力媒体供給設備の動作のための方法に関するものでもある。
【背景技術】
【０００２】
圧力媒体供給設備の圧力媒体とは、通常、圧縮エアと理解され得るが、これに限定されるものではない。したがって、例えば全ての種類の車両における圧縮エア供給設備、特に車両のエアバネへの圧縮エアの供給のための圧縮エア供給設備が使用されている。エアバネ設備は、複数のレベル閉ループ制御装置を含むものであり、このレベル閉ループ制御装置により、車軸と車体の間の間隔を調整することができる。車軸と車体あるいは最低地上高の間の間隔が大きくなるにつれて、バネストロークがより長くなるとともに、車体と接触することなくより大きな路面凹凸も克服され得る。また、最低地上高の変化ができる限り迅速に変換されることが望ましく、これにより、圧縮エア供給設備の迅速性、融通性及び信頼性についての要求が高まることになる。したがって、圧縮エア供給設備は、例えば５〜２０ｂａｒの圧力レベルの範囲、場合によってはそれ以上で動作することとなる。特に、圧力媒体貯留容器内では、圧力媒体を本質的により高い圧力下で維持されることが可能である。この圧力媒体、特に圧縮エアは、コンプレッサによって圧力媒体供給部の充填装置へ供給される。圧力媒体供給部は、旧圧設備への供給のために、圧力媒体接続部に空圧的に接続されているとともに、周囲への排気のために、排気接続部に空圧的に接続されており、空圧的な接続部が排気バルブを介して切り換えられる。
【０００３】
充填装置は、圧力媒体供給設備を開放された動作、部分的に閉鎖された動作及び閉鎖された動作において動作させるために、圧力媒体供給設備の迅速性及び融通性の向上のために設定されることが可能である。このような圧縮エア供給設備が特許文献１から公知である。この圧縮エア供給設備により、圧力媒体貯留容器から空圧設備の１つ又は複数の圧力媒体チャンバへのコンプレッサの第２の圧縮段による圧送及び雰囲気から圧力媒体貯留容器及び／又は１つ若しくは複数の圧力媒体チャンバへのコンプレッサの第１及び第２の圧縮段による圧送が可能となる。コンプレッサの第１の圧縮段から第２の圧縮段へ延びるコンプレッサ管路の流れ方向においては、自動的に開放する複数の逆止バルブが第１の圧縮空間への排出バルブとして、あるいは第２の圧縮段空間への導入バルブとして配置されている。コンプレッサ管路における切換バルブは、第１の圧縮段の出力を削減するか、あるいは所定の形態で減少させるために、２段式のコンプレッサが実際に回路内において圧送するように構成されている。第１の圧縮段空間からの圧力媒体は、ここでも第１の圧縮段の吸込み空間か、又は雰囲気へ移送されることが可能である。
【０００４】
更に効果的であるにもかかわらずできるだけ迅速で、融通性があり、かつ、信頼性をもった圧力媒体供給設備の動作形態を可能とすることが望ましく、特に、このことが圧力媒体供給設備における充填装置の動作形態に対して当てはまるべきである。
【先行技術文献】
【特許文献】
【０００５】
【特許文献１】独国特許出願公開第１０２００８０３４２４０号明細書
【発明の概要】
【発明が解決しようとする課題】
【０００６】
この点で、本発明は、その課題を、特に下降過程時及び／又は上昇過程時に迅速性及び柔軟性について改善された、特に同時に効率的で、及び／又は確実な圧力媒体供給設備の動作形態が可能な装置及び方法を提供することに設定している。特に圧力媒体が、比較的効率的に維持されるか、あるいは比較的削減されたコストによって持続的に生成可能であり、特にこれにもかかわらず迅速に生成可能であるか、あるいは使用可能にされるべきである。
【課題を解決するための手段】
【０００７】
装置についての上記課題は、請求項１の圧力媒体供給設備及び請求項１１の空圧システムによって解決される。方法についての課題は、請求項１５の方法によって解決される。
【０００８】
本発明は、充填装置の動作が従来技術において提案されているように基本的に節約して操作され得るにもかかわらず、その動作を更なる考察においてより良好に利用可能であるという熟考に基づくものである。本発明は、充填装置による圧力媒体の圧送のための持続的に設定されたコンセプトが圧力媒体のストックの考慮の下で圧力媒体供給設備における充填装置のより良好な実行へ導くということを認識したものである。さらに、特に圧力媒体供給設備の充填装置がより良好な態様で周辺装置、つまり特に空圧設備に接続されている。好ましくは、圧力媒体供給設備の充填装置は、より良好な態様で例えばリザーバのような圧力媒体貯留容器及び／又は例えば複数のベローのような複数の圧力媒体チャンバに接続されている。本発明によれば、第２の圧縮段への、少なくとも１つの圧力媒体充填接続部で滞っている充填された圧力媒体と、第１の圧縮段から供給される別の圧力媒体との同時の案内のために充填設備が形成されている。
【０００９】
このように実現された本発明のコンセプトは、従来技術において有利であると認められた節約した動作態様の克服における充填装置を、第１及び第２の圧縮段の改善された出力利用によって作動させるために設定するものである。特に、充填装置は、第１の圧縮段からの圧力媒体を更に供給することができるとともに、この圧力媒体を圧力媒体供給部へ供給するために第２の圧縮段において更に圧縮することが可能である。第１の圧縮段の負荷動作は、できる限り効果的に利用されるべきである。これにより、持続的な動作態様が節約的な動作態様のために強調される。さらに、充填装置は、圧力媒体充填接続部で滞っている充填される圧力媒体、特に圧力媒体貯留容器及び／又は圧力媒体チャンバからの圧力媒体によって、この圧力媒体を第２の圧縮段で更に圧縮することにより動作されることが可能である。本発明のコンセプトに従い、第１の圧縮段から供給される別の圧力媒体も第２の圧縮段へ導かれる。
【００１０】
驚くべきことに、第１の圧縮段から追加的に供給される別の圧力媒体が例えば持続的に空圧システムの迅速性及び融通性の向上に使用され得ることが分かった。追加的に供給される圧力媒体が特に圧力媒体貯留容器内において保持されることにより、追加的に供給される別の圧力媒体が例えば適当な態様で圧力媒体供給設備、特に空圧メイン管路における乾燥装置の再生のために利用され得る。特に、このことは、空圧設備によって変換されるエアバネ設備の下降過程及び／又はエアバネ設備の上昇過程について有利であることが判明した。
【００１１】
本発明のこのコンセプトは、本発明の方法に従い作動する空圧システムを動作させるために形成されている開ループ制御及び閉ループ制御装置へ通じるものである。加えて、この開ループ制御及び閉ループ制御装置は、ソフトウェアモジュール及び／又はハードウェアモジュールによって実行されることができ、これらソフトウェアモジュール及び／又はハードウェアモジュールは、請求項１５〜２２のいずれかに記載の方法の１つ又は複数の方法ステップを実行するように形成されている。
【００１２】
有利な発展形成は、従属請求項から分かるとともに、有利な手段を個々に示している。上記のコンセプトは、課題設定の範囲において、及び別の利点について実現されるべきものである。
【００１３】
充填装置は二段式又は多段式のコンプレッサを備えており、このコンプレッサは、圧力媒体供給側で圧力媒体供給部に接続されている。二段式又は多段式のコンプレッサは、少なくとも１つの第１及び第２の圧縮段を備えている。特に、圧力媒体供給部には、圧力媒体供給側において第２の、又は最後の圧縮段の出口部が接続されている。
【００１４】
圧力媒体接続部と排気接続部の間の排気管路は、１つの排気バルブを備えているとともに、周囲への排気接続部への別の延長部において延びている。排気接続部は、第１の発展形成において吸込み接続部から分離して形成されることが可能である。他の発展形成においては、排気接続部が吸込み管路の吸込み接続部と合流する。吸込み管路は、コンプレッサの吸込み側で、周囲への吸込み接続部とコンプレッサの間、特に周囲への吸込み接続部と第１の圧縮段の入口部の間で延びている。吸込み接続部が排気接続部と一致する場合には、吸込み管路の一部を排気管路の一部と一致させるか、あるいは共通に使用することが可能である。さらに、特に排気管路は、吸込み接続部及び排気接続部の手前で吸込み管路へ延びることが可能である。
【００１５】
コンプレッサ管路は、第１の圧縮段と第２の圧縮段、特に第１の圧縮段の出口部と第２の圧縮段の入口部の間で延びている。本発明のコンセプトの実現のために、充填された圧力媒体と第２の圧縮段への別の圧力媒体の同時の案内のためにコンプレッサ管路が形成されていることが有利であることが分かった。特に、支持圧力なしでの充填された圧力媒体と第２の圧縮段への別の圧力媒体の案内のためにコンプレッサ管路が形成されていることが有利であることが分かった。支持圧力とは、特に、例えば第１の圧縮段の無負荷動作を保証するために従来技術において使用されるような追加的な支持圧力と理解され得る。これに対して、発展形成においては、コンプレッサ管路は、例えば空圧的な遮断手段又は切換手段の所定の追加的な支持圧力のないものとなっている。遮断手段とは、例えば逆止バルブと理解され得る。切換手段とは、例えば切換バルブと理解され得る。
【００１６】
特に、排気バルブは、排気管路におけるバルブ接続部に接続されている。圧力媒体供給部において使用される圧力媒体は、空圧メイン管路を介して圧力媒体供給部と空圧設備の圧力媒体接続部の間に滞ることが可能である。
【００１７】
特に、空圧メイン管路は１つの乾燥装置を備えている。圧力媒体供給設備の長期にわたる動作の確保のために、圧力媒体、特に圧縮エアは、乾燥されるべきである。なぜなら、この圧力媒体は定期的に湿気にさらされるためである。これにより、空圧システムにおける湿気の蓄積が回避され、そうでなければ、比較的低温においてバルブを損傷させる結晶の形成が生じ得るとともに、さらに、圧縮エア供給設備及び空圧設備における不意の故障につながることがある。乾燥装置、特にエア乾燥装置は、乾燥手段、通常は圧縮エアが通過する粒状物層を備えている。そのため、この粒状物層は、比較的高圧において、圧縮エアに含まれる湿気を吸着によって取り除くことが可能である。１つのエア乾燥装置は、場合によっては再生式のエア乾燥装置として設定されることが可能である。このことは、粒状物層が、各排気サイクルにおいて比較的低圧でエアバネシステムからの乾燥された圧縮エアによって、充填方向に対して逆向きの流れ又は同方向の流れにおいて貫流されることで生じる。そのため、排気バルブ装置が開放され得る。圧力交換吸着とも呼ばれるこのような応用に対して本コンセプトが有利であることが分かった。特に、圧縮エア供給設備がフレキシブルかつ同時に信頼性を有して設定されている。特に、比較的迅速で、それにもかかわらずエア乾燥装置の再生のために十分な圧力交換による排気が可能である。
【００１８】
さらに、有利には、提示されたコンセプトの利用をして、特に同様にエア乾燥装置の再生性能の考慮をして空圧設備の排気をできる限り効果的に行うことも可能である。有利には、このことは、比較的短時間で、かつ、比較的大きな圧力の大きさにおいて排気がなされる場合について与えられる。このことは、特に、２つ又はより多くの段を有する、いわゆるブースト動作において動作されるコンプレッサを有する圧力媒体供給設備のこの場合に与えられている。ブースト動作は、一般に、圧力媒体供給設備の動作と理解され、この動作においては、充填された圧力媒体が圧力媒体貯留容器及び／又は圧力媒体チャンバから再分配され、別の圧力媒体は、コンプレッサから再分配される。このことは、とりわけ上昇過程に該当し、この上昇過程では、圧力媒体は、コンプレッサの動作の下でこのコンプレッサによって、圧力媒体貯留容器から圧力媒体接続部を介して圧力媒体チャンバへ至る。しかし、このことは、下降過程にも当てはまり、この下降過程では、圧力媒体は、コンプレッサの動作の下でこのコンプレッサによって、圧力媒体チャンバから圧力媒体接続部を介して圧力媒体貯留容器へ至る。
【００１９】
これに応じて、圧力媒体供給設備は、少なくとも１つの、空圧設備への圧力媒体充填接続部を備えている。特に、少なくとも１つの圧力媒体充填接続部において、例えば少なくとも１つの充填分岐管路を介して、圧力媒体貯留容器及び／又は空圧設備の多数の圧力媒体チャンバが接続されることが可能である。
【００２０】
好ましくは、空圧設備は、１つのギャラリと、該ギャラリに空圧的に接続されつつ１つの圧力媒体チャンバ、特にベロー及び圧力媒体貯留容器、特に圧力リザーバを有する少なくとも１つの分岐管路とを備えている。１つ又は複数の、特に全ての分岐管路は、有利にはそれぞれ１つの切換バルブを備えている。以下では、圧力媒体チャンバの場合においてはベローも考慮に入れられ、あるいは、圧力媒体貯留容器の場合には圧力リザーバ又はリザーバも考慮に入れられるが、これは、一般に圧力媒体チャンバあるいは圧力媒体貯留容器と理解され得るものに対して制限することを意図するものではない。特に、リザーバ管路として形成された分岐管路は、圧力リザーバの手前に配置されたリザーババルブを備えており、及び／又はベロー管路として形成された分岐管路がベローの手前に配置されたベローバルブを備えていることが有利であることが分かった。バネ設備の上昇過程及び下降過程のために必要な切換バルブの開放過程及び閉鎖過程は、各ベローあるいは圧力リザーバ個々に対して、又はその組合せにおいて変換され得る。
【００２１】
特に、圧力センサが空圧設備に設けられており、この圧力センサにより好ましくは圧力の大きさが監視可能であることが有利であることが分かった。この圧力センサは、異なる複数の箇所に配置されることができる。特に、圧力センサが圧力リザーバ及び／又はリザーバ管路又は圧力媒体貯留容器へのその他の空圧的な接続管路に直接接続されていることが有利であることが分かった。圧力センサは、上述の圧力リザーバに割り当てられた圧力センサに加えて、又はこれに代えて、ギャラリに接続されることも可能である。有利には、別の圧力センサは、追加的に又は代替的に圧力媒体チャンバの圧力レベルを監視するために、ベロー管路及び／又はベローに直接接続されることも可能である。１つ又は複数の圧力センサの値は、監視の目的のみならず、特に、圧力媒体供給設備あるいは特に充填装置、好ましくはこれらの個々の構成要素、すなわち特にコンプレッサのモータの開ループ制御及び閉ループ制御の目的のため、及び／又は少なくとも１つの充填バルブ及び／又は公称幅調整可能な充填装置の絞りの開ループ制御及び閉ループ制御のために使用されることも可能である。
【００２２】
少なくとも１つの圧力媒体管路が、少なくとも１つの圧力媒体接続部とコンプレッサ管路の間に設けられている。特に、第１の圧力媒体充填管路が第１の圧力媒体充填接続部と第２の圧縮段の入口部の間に設けられていることが有利であることが分かった。これに加えて、又はこれに代えて、第２の圧力媒体充填管路を第２の圧力媒体充填接続部と第２の圧縮段の入口部の間に設けることも可能である。
【００２３】
好ましくは、少なくとも１つの圧力媒体充填管路及びコンプレッサ管路が形成されており、充填された圧力媒体は、第２の圧縮段を更に圧縮し、空圧メイン管路を介して圧力媒体供給部と空圧設備の圧力媒体接続部の間で供給するために、少なくとも１つの圧力媒体充填接続部から第２の圧縮段へ供給される。特に、圧力媒体が圧力媒体貯留容器から第１の圧力媒体充填接続部を介して第２の圧縮段へ、多数の圧力媒体チャンバに供給されることが有利であることが分かった。これに加えて、又はこれに代えて、圧力媒体は、多数の圧力媒体チャンバから第２の圧力媒体充填接続部を介して第２の圧縮段を経て圧力媒体貯留容器へ案内されることも可能である。結果的に、この発展形成は、車両のための上昇過程あるいは下降過程を変換するために、充填装置の効率的な利用の際、圧力媒体が圧力媒体チャンバと空圧設備の圧力媒体貯留容器の間で往復して案内され得ることにつながるものである。
【００２４】
有利には、吸込み管路及びコンプレッサ管路が形成されており、別の圧力媒体を更に圧縮して空圧メイン管路を介して圧力媒体供給部と空圧設備の圧力媒体接続部の間で供給することができるよう、別の圧力媒体が吸込み接続部から第１の圧縮段を介して供給され、第２の圧縮段へ供給される。特に、上述の両発展形成の範囲においては、組合せとして、少なくとも１つの圧力媒体接続部に滞っている充填された圧力媒体と、第１の圧縮段から供給される別の圧力媒体の第２の圧縮段への同時の供給がなされるようになっている。特に、例えば逆止バルブ又はその他の遮断手段又は切換バルブ若しくはその他の閉ループ制御手段を意図的に設けた従来技術のように逆向きの案内方向において作用する支持圧力なしの供給が形成され得る。このことは、有利には、二段式又は多段式のコンプレッサの少なくとも１つの第１及び第２の圧縮段の圧送出力の完全な利用に有益なものである。特に、上述の発展形成の範囲では、コンプレッサをその圧送出力に関して完全に利用し、この代わりに圧力媒体がフレキシブルかつ迅速に供給可能な態様で例えば圧力媒体貯留容器内及び／又は圧力チャンバ内並びに同時かつ支持圧力なしの上述のコンセプトによる往復式の貯留手段内に維持されることがはるかに効率的であることが分かった。これにより、基本的には、十分に供給される圧力媒体の量に基づき、上述のブースト動作が動作オプションよりもはるかに考慮の対象となる。有利には、ブースト動作は、減少するか、又は小さすぎるリザーバ圧力のため目的に合わせて終了される必要はなく、このような措置は、いくつかの測定技術的な手間に結び付くものである。むしろ、ここに記載したコンセプト又はその発展形成によって、必要な圧力媒体流自体が、充填された圧力媒体に加えて第１の圧縮段から供給される特に追加圧送される別の圧力媒体によるブースト動作のために維持され得るが、いずれの場合でも、動作時の大部分における圧力媒体の減少に抵抗し得ることが分かった。
【００２５】
空圧設備によって生じる下降過程のために、圧力媒体供給設備が選択的に開放されて、部分的に閉鎖され、又は閉鎖されて動作されることが特に好ましい。開放される動作は、排気接続部へ圧力媒体を排出しながら、特に直接、すなわち圧力媒体接続部及び空圧メイン管路を介して、場合によってはエア乾燥装置の再生をしながらなされる。閉鎖された動作は、少なくとも１つの圧力媒体接続部に滞っている充填された圧力媒体を案内しながら、また第１の圧縮段から供給される別の圧力媒体を第２の圧縮段へ案内方向に案内しながら、コンプレッサを介して圧力媒体チャンバから圧力媒体貯留容器への圧力媒体の排出をしながらなされ得る。部分的に閉鎖された動作は、適宜の順番で連続して、又は少なくとも一時的に同時に上記両動作態様の関与の下でなされ得る。特に、部分的に閉鎖された動作は、適宜の順番で連続して、又は少なくとも一時的に同時に、圧力媒体チャンバから排気接続部へ、及び圧力媒体チャンバから圧力媒体貯留容器へ圧力媒体を排出しながらなされる。
【００２６】
これに加えて、又はこれに代えて、空圧設備によって生じる上昇過程のために、圧力媒体供給設備が選択的に開放されて、部分的に閉鎖されて、又は閉鎖されて動作させることが有利であることが分かった。加えて、特に、圧力媒体は、圧力媒体接続部へ供給され得る。このことは、ブースト動作以外の場合に、第１及び第２の圧縮段を動作させながら、すなわち別の圧力媒体を利用しながらなされ得る。開放された動作においては、圧力媒体は、雰囲気からコンプレッサを介して圧力媒体接続部へ圧送される。閉鎖された動作においては、このことは、ギャラリを介して圧力媒体貯留容器から圧力媒体チャンバへ圧力媒体を排出しながらなされ得る。部分的に閉鎖された動作は、適宜の順番で連続して、又は少なくとも一時的に同時に上述の両動作態様の関与の下でなされ得る。特に、このことは、圧力媒体貯留容器又は少なくとも１つの圧力媒体チャンバからの、少なくとも１つの圧力媒体充填接続部で滞っている充填された圧力媒体と、第１の圧縮段から案内方向において第２の圧縮段へ供給される圧力媒体を案内しながら、連続して、又は少なくとも一時的に同時になされ得る。
【００２７】
短く示せば、部分的に閉鎖された下降過程においては、圧力媒体がコンプレッサにより圧力媒体チャンバから圧力媒体貯留容器へ移行され、特に追加的に圧力媒体がコンプレッサの少なくとも１つの圧縮段、特に第１の圧縮段によって雰囲気から圧力媒体貯留容器へ移行される。短く示せば、部分的に閉鎖された上昇過程においては、圧力媒体がコンプレッサにより圧力媒体貯留容器から圧力媒体チャンバへ移行され、特に追加的に圧力媒体がコンプレッサの少なくとも１つの圧縮段、特に第１の圧縮段によって、雰囲気から少なくとも１つの圧力媒体チャンバへ移行される。有利には、部分的に閉鎖された上昇過程及び／又は下降過程の範囲では、空圧メイン管路における乾燥装置を再生しながら排気接続部への排気過程がなされ得ることが分かった。有利には、ここに記載したコンセプトにより、空圧設備の圧縮エアの圧縮容積自体がその時でも上昇過程及び／又は下降過程前と同一又は実質的に同一である。
【００２８】
特に、圧力媒体供給設備の動作が、圧力レベルが少なくとも１つの充填分岐管路においてコンプレッサ管路と比較して存在するように、圧力レベルを調整しながら最適化され得ることが分かった。特に、一方で第１の圧縮段の出口部と他方で圧力媒体貯留容器あるいは圧力媒体チャンバの間の異なる圧力レベルを考慮するために、空圧手段が、圧力媒体供給設備の少なくとも１つの圧力媒体充填管路に設けられることが可能である。
【００２９】
したがって、第１の圧力媒体充填管路が第１の圧力媒体充填接続部とコンプレッサ管路の間に第１の絞りを備え、及び／又は第２の圧力媒体充填管路が第２の圧力媒体充填接続部とコンプレッサ管路の間に第２の絞りを備えていることが特に有利であることが分かった。第１の絞り及び／又は第２の絞りが公称幅を有しており、この公称幅が、第１及び／又は第２の圧力媒体充填管路における圧力低下がコンプレッサ管路に対して生じるように形成されていることが有利であることが分かった。これにより、圧力媒体貯留容器あるいは圧力媒体チャンバのより高い圧力レベルをコンプレッサ管路における圧力レベル、特に第１の圧縮段の出口部及び／又は第２の圧縮段の入口部における圧力レベルに抑えることが可能である。このことは、とりわけ、第２の圧縮段の動作時に、圧力媒体貯留容器又は少なくとも１つの圧力媒体チャンバにおける圧力の圧力低下によって、流れ消費が限界内に保持されるという利点を有している。この発展形成においては、圧力媒体の持続的な生成及びストックが両方のあるいは全ての圧縮段の効率的な動作の下でコンプレッサの節約された動作態様と組み合わされる。これにより、第１の圧縮段の比較的節約された動作がサポートされ、第１の圧縮段の圧力媒体圧送出力は、本発明によるコンセプトにもかかわらず、このコンセプトをなくすことなく効率的に利用される。さらに、圧力媒体供給設備における圧力媒体損失を伴わないか、又はいずれにしてもわずかにこれを伴うブースト動作が可能であり、これにより、より頻繁に可能である。
【００３０】
したがって、例えば、第１及び／又は第２の絞りの公称幅は、第１及び／又は第２の圧力媒体充填管路における圧力の１／３〜１／２の大きさの圧力低下がコンプレッサの第２の又は他の圧縮段の入口部に対して生じるように形成されていることが有利であることが分かった。特に、８〜１０ｂａｒの範囲の大きさは、有利な圧力媒体供給設備あるいは有利な空圧システムに鑑み有利であることが分かった。特に、１５〜２５ｂａｒの範囲から５〜１５ｂａｒの範囲への圧力低下が、特に第１及び／又は第２の絞りの公称幅によって閉ループ制御されて、又は閉ループ制御されずに生じ得る。特に、公称幅は、０．５〜１．５ｍｍの範囲、特に０．６〜０．８ｍｍの範囲であることが分かった。これらの間にある公称幅も、例えば０．６〜１．２ｍｍの範囲も有利であることが分かった。この公称幅は、固定されていても、又は調整可能であってもよい。特に、調整可能は公称幅は有利であることが分かった。なぜなら、この場合、例えば第１及び第２の圧力媒体充填管路における圧力又は制御信号に依存して公称幅の適合を行うことが可能であるためである。圧力媒体充填管路における圧力は、圧力媒体充填接続部において、又は圧力媒体充填接続部と絞りの間で測定可能であるが、圧力媒体充填接続部において、又は圧力媒体充填接続部と圧力媒体貯留容器及び／又は圧力媒体チャンバの間でも可能である。また、調整可能な公称幅は、コンプレッサ、特にコンプレッサのモータの出力消費に依存してなされることも可能である。この、及び他の公称幅開ループ制御措置又は閉ループ制御装置は、かなり均等な、具体的に均等に読み取られるコンプレッサの動作を、すなわち特に好ましい電流範囲あるいは出力範囲における均等な電流消費によって可能とすることができる。このことは、効率的で、したがってコンプレッサの持続的かつ寿命の長い動作態様をサポートするものである。
【００３１】
基本的に、少なくとも１つの圧力媒体充填接続部において滞っている充填された圧力媒体の開ループ制御は、空圧的な開ループ制御手段によってなされ得る。特に、第１の圧力媒体接続部に第１の充填バルブが、及び／又は第２の圧力媒体接続部に第２の充填バルブが接続されているか、又は接続可能であることが有利であることが分かった。特に切換バルブ、好ましくは例えば２／２切換バルブのような２つの切換状態に切換可能な切換バルブの形態の充填バルブが有利であることが分かった。充填バルブは、圧力媒体供給設備内及び／又は空圧設備内に設けられることが可能である。したがって、例えば圧力媒体供給設備の第１の圧力媒体充填管路が第１の圧力媒体充填接続部とコンプレッサ管路の間に第１の充填バルブを備え、及び／又は第２の圧力媒体充填管路が第２の圧力媒体充填接続部とコンプレッサ管路の間に第２の充填バルブを備えることが可能である。これに加えて、又はこれに代えて、空圧設備内で、又は圧力媒体供給設備と空圧設備の間で、第１の圧力媒体充填接続部と圧力媒体貯留容器の間の第１の圧力媒体充填管路に、第１の充填バルブを接続可能とするか、接続されることが可能である。これに加えて、又はこれに代えて、第２の充填バルブが、第２の圧力媒体充填接続部と少なくとも１つの圧力媒体チャンバの間の第２の圧力媒体充填管路に接続可能であるか、あるいは空圧設備内に接続可能であるか、又は圧力媒体供給設備と空圧設備の間に接続可能である。
【００３２】
したがって、充填バルブの開放又は閉鎖により、保持され、必要な場合に第２の圧縮段へ充填可能な圧力媒体が圧力媒体貯留容器及び／又は圧力媒体チャンバから取り出され得る。コンセプトに従い、充填されたこの圧力媒体は、少なくとも１つの圧力媒体接続部において滞るように、第１の圧縮段から供給される別の圧力媒体と同時に第２の圧縮段へ案内されることが可能である。基本的に、このコンセプトは、上昇過程についても、また下降過程についても、いずれにしても圧力媒体供給設備の閉鎖された動作又は部分的に閉鎖された動作において有利であることが分かった。上述の動作態様は、単独で、又は開放された動作態様との任意の時間的な組合せにおいて、特に雰囲気あるいは排気接続部への排気を行うことが可能である。
【００３３】
圧力媒体貯留容器及び複数の圧力媒体チャンバの分離が充填された圧力媒体の案内のために有利であることが分かった。特に、圧力媒体貯留容器と圧力媒体チャンバを分離するために、空圧設備内に分離バルブを設けることが可能である。
【００３４】
排気バルブの切換は、原理的に必要に応じて、及び異なる形態において行うことが可能である。例えば、直接切換可能な個々の排気バルブも、また１つの排気バルブを有する排気バルブ装置も排気管路に設けられることができる。排気バルブの開ループ制御のためのコントロールバルブを備えた電磁バルブ装置が特に有利であることが分かった。このコントロールバルブによって解除可能な解除可能な逆止バルブを有する空圧メイン管路が特に有利であることが分かった。特に有利には、コントロールバルブが、排気バルブ及び解除可能な逆止バルブの解除の開ループ制御のために形成され得る。したがって、有利には、逆止バルブが解除され、かつ、排気バルブが開放されることによって、唯一のコントロールバルブを介して乾燥装置が両方向に開放され得る。このことは、空圧設備の迅速な充填にも、また乾燥装置の完全な再生にも有益なものである。加えて、特に、コントロールバルブが排気バルブの圧力制御接続部に接続された空圧的なコントロール管路でバルブ接続部に接続されていることが有利であることが分かった。コントロールバルブは、排気バルブの開放されたバルブ接続部における圧力制御接続部が排気管路及び解除された逆止バルブにおいて制御圧力に保持されるように形成されている。特に好ましくは、コントロールバルブはコントロール管路において接続された２つのバルブ接続部を備えることができ、コントロールバルブは、周囲へのバルブ接続部を備え、かつ、コントロール管路を空圧メイン管路から分岐させる３／２切換バルブの形態で形成されている。
【００３５】
有利には、空圧設備の切換バルブは、１つ又は複数のバルブブロックにおける分離バルブと共に組織化されている。コンパクトなバルブブロックが分離バルブの包含に有利であることは明らかである。特に、公知のコンパクトなバルブブロックが、コンセプトの範囲において、新たな使用、したがって別の加工の手間なしに利用され得る。
【００３６】
基本的に、本発明のコンセプトは、様々な実施形態において実現され、この様々な実施形態のうちいくつかが図面に具体的に説明されている。
【００３７】
例えば図１に示された実施形態に基づいて説明される特に好ましい発展形成の範囲においては、充填分岐管路が、圧力媒体貯留容器に直接接続されているとともに、圧力媒体供給設備のコンプレッサ管路への圧力媒体充填管路に当該充填分岐管路を結合させる第１の圧力媒体充填接続部へ延びている。図２における実施形態に基づき例示的に説明される第２の発展形成においては、充填分岐管路が空圧設備のギャラリへの接続管路として形成されているとともに第２の圧力媒体充填接続部へ延びるようになっており、この第２の圧力媒体充填接続部は、充填分岐管路を圧力媒体供給設備の第２の圧力充填管路へ結合し、圧力媒体供給設備を介してコンプレッサ管路へ結合させるものである。好ましくは、ギャラリへのこの接続管路には、空圧設備における第２の充填バルブが接続されている。しかしながら、基本的に、第２の充填バルブは、圧力媒体供給設備の第２の圧力媒体充填管路にも、特に充填装置の一部として配置されることが可能である。
【００３８】
図３の実施形態に基づいて例示的に説明される簡易化された第３の発展形成の範囲においては、充填分岐管路はここでもギャラリへの接続管路として設けられることができ、第１の圧力媒体充填管路における充填バルブは、第１の圧力媒体充填接続部とコンプレッサ管路の間に設けられている。これにより、比較的コンパクトな構造が可能である。これに対して、上述の第２の発展形成により、分離されたバルブブロックにおける第１のリザーバギャラリと第２のバネギャラリとを形成しながら、存在するバルブブロックの有利な使用が可能となる。
【００３９】
図４において例示的に説明される実施形態に基づき説明されている第４の発展形成においては、特に、一方で第１あるいは第２の発展形成と、他方で第３の発展形成とが、つまり、第１の充填分岐管路がリザーバ管路から分岐して第１の圧力媒体接続部へ延び、第２の充填分岐管路がギャラリから分岐して第２の圧力媒体接続部へ延びることによって、互いに組合され得る。この場合、第１及び第２の圧力媒体充填管路は、圧力媒体供給設備の第１あるいは第２の圧力媒体充填接続部と共に設けられている。更に図４には、第１の圧力媒体充填管路における第１の充填バルブと、第２の充填分岐管路における第２の充填バルブの配置が示されている。基本的に、充填バルブの配置の変型も設けることが可能である。例えば、第１の充填バルブが第１の充填分岐管路に配置されることができ、第２の充填バルブが圧力媒体供給設備の第２の圧力媒体充填管路に配置されることも可能である。また、第１及び第２の充填バルブをそれぞれ第１及び第２の充填分岐管路に配置するか、又は第１及び第２の充填バルブを圧力媒体供給設備の第１あるいは第２の圧力媒体充填管路に配置することも可能である。充填バルブの配置変型がいわゆる第１及び第２の絞りの配置にも同様に当てはまることは自明である。特に、第１の絞りが第１の充填バルブの一部として、及び／又は第２の絞りが第２の充填バルブの一部として実現されていることが特に有利であることが分かった。特に絞りは、オンされた、すなわち充填バルブの通電されて開放された状態における充填バルブの通電時に有効となり得る。この場合、上述の絞りは、充填バルブの通電されて開放された状態に統合されている。
【００４０】
ここで説明する充填バルブが非通電で閉鎖された切換バルブとして記載され、ここで説明されるベロー及びリザーババルブが非通電で閉鎖される切換バルブとして記載されている一方、切換バルブは、非通電で開放される切換バルブとしても実現され得ることが理解されるべきである。その結果、この通電は、記載されたコンセプトに基づく機能性に合わされている。
【００４１】
本発明の複数の実施例は、部分的に示された従来技術と比較して、図面に基づき以下に説明される。この図面は、必ずしも縮尺に従って示されておらず、むしろ、説明に有用であるよう概略的な、及び／又はやや歪曲された形態で構成されている。図面から直接認識可能な示唆の補足を考慮して、関連する従来技術について指摘されている。このとき、本発明の全般的な思想から逸脱することなく、実施形態の形態及び詳細についての多様な修正及び変更が行い得ることが考慮されるべきである。本明細書、図面及び各請求項に開示された本発明の特徴は、個々にも、又は適宜の組合せにおいても本発明の発展形成にとって本質的である。加えて、本発明の範囲には、本明細書、図面及び／又は各請求項に開示された少なくとも２つの特徴の全ての組合せが含まれる。本発明の全般的な思想は、以下に示し、説明する好ましい実施形態における厳密な形態又は詳細に限定されるものではないか、又は各請求項において請求される対象に比して制限された対象に限定されるものではない。記載された寸法範囲においては、上述の限度内にある値も限界値として開示され、適宜使用可能であるとともに請求可能であるべきである。同一又は類似の機能の同一又は類似の部材は、簡易化の理由から図面において同一の符号が付されている。本発明の更なる利点、特徴及び詳細は、好ましい実施例及び図面に基づく以下の説明から明らかである。
【図面の簡単な説明】
【００４２】
【図１】圧力媒体供給設備及び空圧設備を有する空圧システムの第１の実施形態の描写のための回路図である。
【図２】圧力媒体供給設備及び空圧設備を有する空圧システムの第２の実施形態の描写のための回路図である。
【図３】圧力媒体供給設備及び空圧設備を有する空圧システムの第３の実施形態の描写のための回路図である。
【図４】圧力媒体供給設備及び空圧設備を有する空圧システムの第４の実施形態の描写のための回路図である。
【図５】選択的に開放された、閉鎖された、又は部分的に閉鎖された圧縮エア供給設備の動作態様における下降過程の特に好ましい実施形態の描写のための経過グラフである。
【図６】開放された、閉鎖された、又は部分的に閉鎖された動作態様における上昇過程の特に好ましい実施形態の描写のための経過グラフであり、コンプレッサ動作の下、コンプレッサ及びリザーバの包含の下での上昇過程も、また特に好ましい上昇過程も、まずは充填装置の開放された動作態様が利用され、そして部分的に閉鎖された動作態様が利用される。
【図７】追加的なリザーバ圧力の実現のための、圧力媒体供給設備の部分的に閉鎖された動作における上昇−下降シーケンスの例における少なくとも１つの圧力媒体接続部において滞っている充填された圧力媒体及び第１の圧縮段から第２の圧縮段へ供給される別の圧力媒体の同時の案内の下での充填装置の動作の結果としての、圧力媒体貯留容器の圧力の描写のためのリザーバ圧力の推移の例示的な描写を示す図である。
【図８】上昇−下降シーケンスの一定の周期時間の実現の下での、図７におけるものとはやや異なる上昇−下降シーケンスの時間的に適宜反復可能な連続を示す図である。
【図９Ａ】図８の部分的に閉鎖された動作における上昇−下降シーケンスについてのリザーバ圧力の拡大された描写を示す図であり、特に、上昇動作及び下降動作の周期時間を一定に維持するため、及び／又は上昇動作及び下降動作の反復性を適合可能に維持するため、又は開放された動作により雰囲気へ排出すべき圧力媒体を排出時の乾燥装置の狙いを定めた再生のために利用するために、生じ得るリザーバ圧力が、場合によっては選択された絞り公称幅に依存して迅速な開放された動作における下降過程によって減少され得る。
【図９Ｂ】図９Ａとの比較において開放された動作における上昇−下降シーケンスを示す図であり、リザーバは、上昇−過程シーケンスに基づき空にされている。
【発明を実施するための形態】
【００４３】
図１には圧縮エア供給設備１０．１と、フロントアクスルＶＡ及びリヤアクスルＨＡを有する不図示の車両１０００のためのエアバネ設備の形態の空圧設備９０．１とを有する空圧システム１００．１が示されている。車両１０００においては、車両制御部ＥＣＵ及び例えばＣＡＮバス又はこれに類するようなデータバスが設けられることが可能である。特に、これを介して伝達される適当な制御信号、特に空圧システム１００．１又はコンプレッサ３１のモータＭの電気的に制御可能なバルブの磁石コイルの通電のための制御電流が供給される。これら制御信号は、この点では、図１、図２及び図３での詳細において合理的に点線で示され、及び図４において詳細に車両制御機器ＥＣＵと共に合理的に示されている。例えばフロントアクスルＶＡ及びリヤアクスルＨＡを備えた車体のスプリングあるいはレベル変更の実現のために、空圧設備９０．１がここでは４つのベロー９１を備えており、各ベロー９１は、不図示のエアバネの一部である。１つのベロー９１には、切換バルブの形態のベローバルブ９３、すなわちここではベロー管路９１Ｌにおけるコントロール可能な２／２電磁切換バルブが手前に接続されている。ベロー管路９１Ｌはそれぞれ分岐管路の形態で集合管を形成するギャラリ９５から分岐しており、このギャラリは、さらに別の空圧式の接続管路９６に接続されている。この別の空圧式の接続管路９６は、ここでは圧縮エア接続部２とも呼ばれる圧縮エア供給設備１０．１の圧力媒体接続部に接続されている。全体として、ここでは、他の圧力媒体の選択について制限することなく、圧力媒体が例えば圧縮エアと呼ばれる。
【００４４】
そのほか、空圧設備９０．１はリザーバ管路９２Ｌを介してギャラリ９５に接続された圧力リザーバ９２を備えており、この圧力リザーバには、ここではコントロール可能な２／２電磁切換バルブの形態のリザーババルブ９４が手前に接続されている。ここでは、ギャラリ９５には圧力センサ配線９７Ｌを介して圧力センサ９７が接続されており、この圧力センサは、電圧／圧力変換部Ｕ／Ｐを介して、圧力リザーバ９２におけるリザーバ圧力の計測及びベロー９１におけるベロー圧力の計測に適している。加えて、例えばリザーババルブ９４のみが開弁されるか、あるいはベローバルブ９３のみが開放される。全ての２／２電磁切換バルブ、すなわち４つのベローバルブ９３及び１つのリザーババルブ９４が、ここでは唯一の５重バルブブロック９８内に構造ユニットとして統合されている。
【００４５】
圧縮エア接続部２及びこれに接続された圧縮エア供給設備１０．１の空圧的なメイン管路６０あるいは別の空圧的な接続管路９６を介して複数のベロー９１及びリザーバ９２がギャラリ９５を介して充填されることが可能であるか、又は逆の方向へ排気されることが可能である。
【００４６】
圧縮エア供給設備１０．１は個々に充填装置３０．１への吸込み管路２０を備えており、この充填装置は、周囲への吸込み接続部０と充填装置のコンプレッサ３１の間、すなわち、ここでは吸込み接続部０のフィルタ要素０．３とコンプレッサ３１の第１の圧縮段３１．１の入口部との間で延在している。コンプレッサ３１は第１の圧縮段３１．１及び第２の圧縮段３１．２並びにこれらを駆動するための１つのモータＭを備えている。すなわち、モータＭは、１つ又は複数のコンプレッサピストンを駆動し、この１つ又は複数のコンプレッサピストンは、圧縮段の不図示のコンプレッサチャンバにおいて圧力媒体、ここでは第１の圧縮段におけるエアの圧縮の下で移動し、及びすでに部分的に圧縮され、第２の圧縮段で更に圧縮された圧縮エアを移動させる。
【００４７】
象徴的に示した第１の圧縮段３１．１の出口部には、第１の圧縮段３１．１と第２の圧縮段３１．２の間、すなわち第１の圧縮段３１．１の出口部と第２の圧縮段３１．２の入口部の間のコンプレッサ管路２１が接続されている。コンプレッサ３１は、象徴的に示された第２の圧縮段３１．２の出口部において圧力媒体供給部１に接続されているとともに、圧力媒体を介して空圧的なメイン管路６０へ供給可能である上、圧力媒体接続部２において供給可能である。圧力媒体は、空圧的なメイン管路６０に配置された圧力媒体用の乾燥装置６２を介して、すなわちここでは規則的に圧縮エアのように案内される。圧縮エア供給部１と圧縮エア接続部２の間にはここでは圧縮エア供給部１へ直接排気管路７０も接続されており、この排気管路は、排気バルブ７１を介して排気接続部３へ延びている。排気バルブ７１は、電磁バルブ装置８０の一部であり、この電磁バルブ装置には、電磁切換バルブとして形成されたコントロールバルブ８１及びここでは閉止解除可能な逆止バルブ６１も属している。閉止解除可能な逆止バルブ６１及び排気バルブ７１は、ここでは唯一のコントロールピストンによって作動可能であり、このコントロールピストンは、圧力コントロール接続部７１Ｓを介してリレーピストンとして移動可能である。圧力コントロール接続部７１Ｓには適切なコントロール圧力をコントロールバルブ８１を介して供給可能である。ここでは、コントロール圧力は、コントロールバルブ８１を介して接続された、分岐接続部６３における空圧メイン管路６０からコントロール管路へ分岐したコントロール圧力である。コントロールバルブ８１は、ここでは３／２切換バルブとして形成されている。図１に示された非通電の状態においては、コントロール管路１１０が第１の部分及び第２の部分によって形成されており、これら部分は、コントロールバルブ８１によって空圧的に分離されている。第１の部分は分岐接続部６３から離れ、第２の部分は圧力コントロール接続部７１Ｓへ延びている。３／２切換バルブは図示の形態においてはコントロール管路１１０について非通電の状態にあり、この状態は、上述の第１の部分及び第２の部分を空圧的に分離する。第２の部分は、別の排気管路１１７へも排気され、この別の排気管路１１７は、分岐接続部７において排気管路７０と合流しており、両排気管路１１７，７０は、排気接続部３へ共通の排気管路７０として更に延びているとともに、最後の部分では吸込み管路２０の一部と同一となっている。
【００４８】
第１の別のコントロール管路１１１あるいは第２の別のコントロール管路１１２は、排気バルブ７１のピストンあるいはコントロールバルブ８１のピストンへ直接延びているとともに、それぞれ排気管路７０あるいはコントロール管路１１０から分岐している。結果的に、これにより、排気の際における迅速な切換作動につながる。すなわち、コントロールバルブ８１が電磁コイルへの適当な通電時に通電された第２の切換状態へ加速して移行する場合には、排気バルブ７１のリレーピストンがすでにバルブスプリング７１Ｆあるいは８１Ｆのバネ力に抗して付勢されている。排気バルブのコントロールピストン７１Ｓが移動すると、排気バルブ７１は、作動式に開放する状態へ移行するとともに、同時に、逆止バルブ６１が空圧的に閉止解除される。結果的に、空圧的なメイン管路６０に設けられたエア乾燥装置６２が排気管路７０の側及び圧縮エア接続部２の側において両側で開放される。
【００４９】
空圧設備９０の排気は、第１の絞り、ここでは空圧的なメイン管路６０における再生絞り６４と、第２の絞り、ここでは排気管路７０における排気絞り７４とを介してなされる。再生絞り６４の公称幅は、一方でエア乾燥装置６２の最適な再生時に過剰に大きな音の大きさあるいは圧力の大きさを回避しつつ効率的な排気を可能とするために、本実施例においては、排気絞り７４の公称幅よりも大きくなっている。
【００５０】
上述の排気に関する圧縮エア供給設備１０．１あるいは空圧的なメイン管路６０及び吸込み管路２０の機能の基本的な実施は、ここで選択された図１〜図４の実施例について同一である。特に、この部分の上記説明及び空圧設備９０．１の本質的な部分の説明は、全ての図について同一である。このことは、見やすさの観点から部分的にのみ図２、図３及び図４に記載され、同一若しくは類似の部材又は同一若しくは類似の機能について同一である符号についても当てはまる。その結果、図１〜図４の全てについての上記説明について個々に指摘される。それにもかかわらず、排気バルブ装置として機能する電磁バルブ装置８０も変更された形態においても実施され得ることが理解されるべきである。特に、排気管路７０においては、ここで示した空圧的にプリコントロールされる排気バルブ７１の代わりに電磁コイルによって直接コントロールされる個別のバルブもコントロール電流によって直接コントロール可能な排気バルブとして設けられ得る。そのため、コントロールバルブ８１を省略することが可能である。排気バルブ装置のこの変更は、直接排気されたバルブ装置とも呼ばれる。他の変更においては、排気バルブ装置がいわゆる迅速に排気されるバルブ装置として形成されることが可能であり、このバルブ装置においては、複数の空圧的なプリコントロール管路が、ここで示される実施形態とは異なる形態で空圧的な面管路６０から空圧的にプリコントロールされつつ加速された排気バルブの切換作動のために分岐している。
【００５１】
以下に、図２〜図４の他の充填装置３０．２，３０．３，３０．４とは異なる充填装置３０．１の特別な実施について説明する。
【００５２】
図１の充填装置３０．１は、第１の圧力媒体充填接続部１．１を介して第１の充填分岐管路９２ＺＬ．１に接続されており、第１の充填分岐管路９２ＺＬ．１が直接圧力リザーバ９２に接続されている。充填装置３０．１は第１の圧力媒体充填接続部１．１に接続された第１の圧力媒体充填管路２０．１を含んでおり、この第１の圧力媒体充填管路は、上述のコンプレッサ管路２１へ延びているとともに、これによりコンプレッサの第２の圧縮段３１．２の入口部にコンプレッサ管路２１を介して接続されている。第１の圧力媒体充填管路２０．１にはここでは公称幅を調整可能な第１の絞り４１と、第１の充填バルブ５１が接続されている。ここでは、公称幅を調整可能な第１の絞り４１及び第１の充填バルブ５１は、分離して第１の圧力媒体充填管路２０．１内に示されている。両者は、逆の順番で配置されることも可能である。特に好ましい形態においては、第１の絞り４１が第１の充填バルブ５１に、すなわち通電されて開放される第１の充填バルブ５１の第２の切換状態において、統合されることができる。
【００５３】
空圧設備９０．１の充填は、二段式のコンプレッサ３１の動作の下で、通常動作において、特に閉鎖された充填バルブ５１における開放された動作及び吸込み管路２０を介してエアの吸込みの下で、及び二段式のコンプレッサ作動の下での開放されたベローバルブ及び／又はリザーババルブ９３，９４において空圧的なメイン管路６０を介してなされることが可能であるとともに、持上げ過程のブースト動作においてもなされることが可能である。持上げ過程のブースト動作においては、第１の充填バルブ５１が第１の充填分岐管路９２ＺＬ．１をリザーバ９２へ向けて開放する。その結果、第１の圧力媒体充填接続部１．１で滞っている充填されたリザーバ９２の圧力媒体ｇＤＭ及び第１の圧縮段３１．１から供給される第２の圧縮段３１．２への別の圧力媒体ｔＤＭが同時に、かつ、支持圧力なしで案内される。このことは、閉じた、又は部分的に閉じた動作の範囲において利用され得る。
【００５４】
排気の場合には、開放された排気バルブ７１及び開放されたベローバルブ９３又はリザーババルブ９４において、すなわち開放された動作において排気が直接排気接続部３へなされ得る。
【００５５】
ベローバルブ９３及びリザーババルブ９４に対する個々のコントロール信号あるいは電流信号が個々にプロットされていない間には、ここでは、第１の充填バルブ５１、モータＭ、第１の絞り４１及びコントロールバルブ８１のコントロールが電気的なコントロール信号ＳＬ１、ＳＭ、ＳＤ１及びＳＥによってなされ得る。
【００５６】
以下においては、簡易化のために、同一若しくは類似の部材又は同一若しくは類似の機能の部材には同一の符号が付されている。
【００５７】
図２には空圧設備９０．２及び圧縮エア供給設備１０．２を有する空圧システム１００．２が示されており、第１のバルブブロック９８．１の形態の空圧設備９０．２におけるバルブブロックの構成は、複数のベローバルブ９３、第２の充填バルブ５２並びにリザーババルブ９４及び分離バルブ９９を有する第２のバルブブロック９８．２によってなされる。分離バルブ９９及び第２の充填バルブ５２は、ベローバルブ９３及びリザーババルブ９４のようにコントロール可能な２／２電磁切換バルブの形態で構成されている。第２の充填バルブ５２、モータＭ、公称幅を調整可能な第２の絞り４２及び排気コントロールバルブ８１は、電気的なコントロール信号ＳＬ２、ＳＭ、ＳＤ２及びＳＥによってコントロール可能である。ここでは、図２の圧縮エア供給設備と図１の圧縮エア供給設備の差異について、すなわち充填装置３０．２の異なる実施についてのみ説明する。
【００５８】
ここでは、第２の充填分岐管路９２ＺＬ．２は、第２の充填バルブ５２及び第２の圧力媒体充填接続部１．２に接続されている。圧縮エア供給設備１０．２においては、第２の圧力媒体充填管路２０．２が第２の圧力媒体充填接続部１．２及びコンプレッサ管路２１に接続されている。第２の圧力媒体充填管路２０．２にはここでは公称幅を調整可能な１つの第２の絞り４２のみが配置されている一方、第２の充填バルブ５２は空圧設備９０の第１のバルブブロック９８．１に統合されている。
【００５９】
図２の圧力媒体供給設備１０．２の動作のために、図１に基づいて説明したように、開放された動作における通常の充填過程及び排気過程が開放された分離バルブ９９において実行され得る。持上げ過程の範囲におけるブースト充填は、リザーババルブ９４が開放され、かつ、分離バルブ９９が閉鎖されている場合、及び第２の充填バルブ５２が開放されている場合に、第２の圧力媒体充填接続部１．２において滞っている充填された圧力媒体ｇＤＭ及び第１の圧縮段３１．１から供給される別の圧力媒体ｔＤＭの利用の下で別の第２の圧縮段３１．２へなされ得る。このことは、同様に、ベローバルブ９３が開放されているとともに分離バルブ９９が閉鎖された下降過程にも当てはまる。この場合には、下降のためにベローから漏出する圧力媒体が、リザーバ９２の充填のために使用され得る。すなわち、この圧力媒体は、開放して形成された下降過程とは異なり、閉鎖された下降過程を行うことも可能であり、この下降過程では、下降動作のためのブースト動作である限り、ベローバルブ９３並びにリザーババルブ９４及び第２の充填バルブ５２がコンプレッサ３１の動作の下で開放される。結果として、コンプレッサ３１を介したベロー９１からリザーバ９２への圧縮エアの入れ換えが生じる。このことは、第２の圧縮段が同時に支持圧力から解放されて案内されることで、有利には第２の圧力媒体充填接続部１．２において滞っている充填されるベロー９１の圧力媒体ｇＤＭと、第１の圧縮段３１．１から供給される、第２の圧縮段３１．２への別の圧力媒体ｔＤＭの使用の下でもなされる。
【００６０】
図３には図２と比較して簡易化された実施形態、すなわち圧縮エア供給設備１０．３及び空圧設備９０．３を有する簡易化された空圧システム１００．３が示されている。このとき、今回は、６重のバルブブロック９８が、４つのベローバルブ９３、１つのリザーババルブ９４及び１つの分離バルブ９９を有する唯一のバルブブロックとして形成されている。ここで、第１の充填分岐管路９２ＺＬ．１は、ギャラリ９５及び第１の圧力媒体充填接続部１．１に接続されている。圧縮エア供給設備１０では、第１の圧力媒体充填管路２０．１が第１の圧力媒体充填接続部１．１とコンプレッサ管路２１の間に接続されている。充填装置３０．３では、第１の圧力媒体充填管路２０．１において、第１の充填バルブ５１及び公称幅が固定された、固定された公称幅を有する第１の絞り４３が接続されている。今回は、図１と比較して逆の順番となっている。モータＭ及び第１の充填バルブ５１は、ここでも電気的な制御信号ＳＭ、ＳＬ１を介してコントロール可能である。分離バルブ９９は電気的な制御信号ＳＴによって、排気コントロールバルブ８１は電気的な制御信号ＳＥによってコントロール可能である。非通電時に閉鎖される分離バルブ９９及び開放されるリザーババルブ９４並びに動作するコンプレッサ３１において、下降過程の範囲では、開放されたベローバルブ９３においてリザーバ９２が更に充填され得る。
【００６１】
図４には特に良好に拡充された充填装置３０．４の実施形態が示されており、この充填装置は、第１の圧力媒体充填接続部１．１及び第２の圧力媒体充填接続部１．２を介して空圧設備９０に接続されている。この場合には、第１の圧力媒体充填接続部１．１に、リザーバ管路９２Ｌへの第１の充填分岐管路９２ＺＬ．１が接続されている。第２の圧力媒体接続部１．２とギャラリ９５の間には第２の充填分岐管路９２．ＺＬ．２が接続され、すなわち、図２の実施形態におけるものと類似した第２の充填バルブ５２を介して５重のバルブブロック９８．１に統合されている。これにより、第１あるいは第２の圧力媒体充填接続部１．１，１．２に接続された第１の圧力媒体充填管路２０．１あるいは第２の圧力媒体充填管路２０．２を介して、すなわち第１の充填バルブ５１及び第２の充填バルブ５２が開放されている際に、圧力媒体がコンプレッサ管路２１へ供給されることができる。第１及び第２の充填バルブ５１，５２のコントロールは、電気的な制御信号ＳＬ１，ＳＬ２によってなされる。コントロールバルブ８１のコントロールは、電気的な制御信号ＳＥによってなされる。分離バルブ９９のコントロールは、電気的な制御信号ＳＴによってなされる。コンプレッサ３１のモータＭのコントロールは、電気的な制御信号ＳＭによってなされる。
【００６２】
制御信号全体は、車両制御機器ＥＣＵの内部において空圧制御モジュールＳによって提供され、この空圧制御モジュールは、圧力センサ９７のセンサ信号ｐ、レベル信号Ｎ及び乾燥装置６２の湿度信号ｈも受信する。第１及び第２の絞り４３，４４は、ここでは固定された公称幅を有しており、ここではこれらが充填装置３０．４において分離されて示されていても、両絞り４３，４４又は第１の絞り４３のみ若しくは第２の絞り４４のみが第１の充填バルブ５１あるいは第２の充填バルブ５２において統合されることが可能である。
【００６３】
本実施形態により、第１の充填バルブ５１及び分離バルブ９９が開放され、リザーババルブ９４が閉鎖されている場合に、第１及び第２の圧縮段３１．１，３１．２の動作の下で持上げ過程としてのブースト動作が可能である。本実施形態により、第２の充填バルブ５２が開放されている場合にコンプレッサ３１の動作の下で、及びリザーババルブ９４が開放され分離バルブ９９が閉鎖されている場合にリザーバ９２の充填の下で、ブースト動作における下降も可能である。
【００６４】
上述の圧力媒体供給設備１０．１，１０．２，１０．３及び１０．４の好ましい動作態様は、図５及び図６に例示的に詳細に記載されている。短縮して、以下に記載する開放した動作形態については、基本的に、圧縮エアは雰囲気から得られるか、あるいは雰囲気へ漏出されることが保持され得る。閉じた動作形態については、基本的に、圧縮エアがコンプレッサ動作なしに移し替えられるのみであることが保持され得る。部分的に閉じられた動作形態については、基本的に、第１の圧縮段による圧縮エアの生成の下でエアを雰囲気から吸入し、エアの更なる圧縮及びすでに充填された圧縮エアの第２の圧縮段における圧縮がなされることが保持され得る。
【００６５】
図５には、選択的に開放された下降過程Ａ１及び閉鎖された下降過程Ａ２又は部分的に閉鎖された下降過程Ａ３並びにレベル閉ループ制御のために適当に設定されたエアバネ設備の形態の空圧設備９０の動作による車体の下降のための方法の３つの異なるバリエーションＢＡ１、ＢＡ２及びＢＡ３についての経過プログラムが示されている。部分的に閉鎖された下降Ａ３のための方法は、空圧システムの閉鎖された動作における第１のステップＡ３．１と、開放された動作における第２のステップＡ３．２とを備えており、これらステップは、シーケンシャルに連続して実行され、これがここでは部分的に閉鎖された動作と理解されるべきである。バリエーションＢＡ２及びＢＡ３は、図２〜図４に記載された空圧システム１００．２，１００．３，１００．４のそれぞれによって実行されることが可能であり、バリエーションＢＡ１は、図１〜図４に記載された空圧システム１００．１，１００．２，１００．３，１００．４のそれぞれによって実行可能である。説明のために、圧縮エア供給設備は、以下において、上記図について一般的に符号１０を付して示されている。加えて、以下において、空圧設備は、上記図について累加的に符号９０を付して示されている。さらに、以下では、空圧システムは、上記図について累加的に符号１００を付して示されている。
【００６６】
圧縮エア供給設備１０の開放された動作における下降方法ＢＡ１は、第１のステップＳＡ１１においてベローバルブ９３のコントロールが設定されている。このベローバルブは、これにより通電−開放状態へ移行される。エアバネの圧力媒体チャンバ、すなわちベロー９１は、これによりギャラリ９５又は第１のギャラリ９５．１へ空圧的に開放される。図４、図２及び図３のシステム１００．４，１００．２及び１００．３の場合には、第２の充填バルブ５２の閉鎖時に分離バルブ９９が同様にコントロールされるとともに、通電−開放状態へ移行されるか、あるいは図３においては第１の充填バルブ５１が閉鎖される。これにより、ベロー９１に含まれる圧縮エアが圧力媒体接続部２へ漏出することができる。第２のステップＳＡ１２においては、コントロールバルブ８１が制御信号ＳＥによってコントロールされ、これにより、通電された第２の切換状態へ移行される。この第２の切換状態により、排気バルブ７１のコントロール接続部７１Ｓへのコントロール管路１１０が開放され、したがって、この排気バルブが双方向に開放された第２の切換状態へ移行される。したがって、ベロー９３からの圧媒体接続部２に滞っている圧縮エアは、第１の再生絞り６４及び閉止解除された逆止バルブ６１を介して、かつ、エア乾燥装置６２の再生をしつつ排気管路７０へ漏出することが可能であり、最後に、排気接続部３及びここからフィルタ０．３を介して外部へ漏出できる。そして、開放された下降過程Ａ１がなされる。その後、ベローバルブ９３はステップＳＡ１３において無通電で閉鎖されたベローバルブ９３へ移行し、ステップＳＡ１４において排気バルブ７１が閉鎖された排気バルブ７１のコントロールされていない状態へ移行する。この状態では逆止バルブ６１が閉止解除されておらず、排気管路７０が排気バルブ７１によって遮断されている。すなわち、図１〜図４に示されているように、通電されていなコントロールバルブ８１において生じる状態である。
【００６７】
ステップＳＡ２１〜ＳＡ２５によって設定された閉鎖された下降方法ＢＡ２については、圧縮エア供給設備１０が閉鎖された動作状態にある。この動作状態においてはステップＳＡ２１がベローバルブ９３のコントロール行うようになっており、このベローバルブは、これにより、圧縮エアをベロー９１からギャラリ９５へ排出しつつ通電−開放状態へ移行される。ステップＳＡ２２においては、第２の充填バルブ５２の例えば図２及び図４において、コントロールがなされるようになっている。これにより、この第２の充填バルブは、制御信号ＳＬ２によって、通電されて開放された状態へ移行される。圧縮エア供給設備１０の図３に示された実施形態では、第１の充填バルブ５１が制御信号ＳＬ１によってコントロールされ、通電して開放された状態へ移行される。結果として、ステップＳＡ２３において、コンプレッサ３１モータＭのための制御信号ＳＭによって、第１及び第２の圧縮段３１．１，３１．２が操作され得る。その結果、これにより、少なくとも１つの圧力媒体充填接続部１．２，１．１において滞っている充填された圧力媒体ｇＤＭ及び第２の圧縮段３１．１から提供される第２の圧縮段３１．２への別の圧力媒体ｔＤＭの同時の案内のための充填装置３０が形成される。このようにベロー９１から取り出された充填された圧力媒体ｇＤＭは、第１の圧縮段３１．１からの別の圧力媒体ｔＤＭと共に第２の圧縮段３１．２によって圧縮された圧力媒体供給部１の形態において提供され得る。そこから、大きく圧縮された圧力媒体は、全体としてエア乾燥装置６２を介して、及び逆止バルブ６１を流通方向に開放しつつ圧力媒体接続部２へ至る。そして、この圧力媒体接続部２からは圧力媒体が別の圧力媒体管路９６及びギャラリ９５あるいは第１及び／又は第２ののギャラリ９５．１，９５．２を介して、ステップＳＡ２４において通電して開放されたリザーババルブ９４において圧力媒体リザーバ９２へ供給され得るとともに、その内部に保持される。そして、つづいて閉鎖される下降過程Ａ２においては、ベロー９１から取り出された圧縮エアは、周囲ではなく、リザーバ９２へ漏出し、そこにおいて更なる利用のために保持されることができる。その後、ステップＳＡ２５では全てのバルブの無通電の状態が設定されている。
【００６８】
部分的に閉鎖された下降過程ＢＡ３は、第１のステップセットＳＡ３１１〜ＳＡ３１４を行うようになっており、この第１のステップセットは、閉鎖された下降過程Ａ３．１に通じるものである。部分的に閉鎖された動作態様Ａ３の閉鎖された下降過程Ａ３．１の準備のための各ステップＳＡ３１１〜ＳＡ３１４は、上述したようにステップＳＡ２１〜ＳＡ２４に本質的に対応する。しかし、開放された下降過程Ａ３．２への切換は、部分的に閉鎖された下降過程Ａ３では別のステップＳＡ３２１〜ＳＡ３２３の実行の下でなされ得る。そのため、ステップＳＡ３２１では、リザーババルブ９４がコントロールされない、すなわち無通電で閉鎖された状態へ移行され、つづいて、図２及び図４の第２の充填バルブ５２あるいは図１及び図３の第１の充填バルブ５１が無通電閉鎖状態へ移行される。つづいて、ステップＳＡ３２３では、排気バルブ７１がコントロールされ、すなわちコントロールバルブ８１が通電された第２の切換状態へ移行される。これにより、ステップＳＡ１２に関連して説明したように、圧縮エアは、ベロー９３から直接圧力媒体接続部２及び排気管路７０を介して、エア乾燥装置６２の再生をしつつ排気接続部３へ漏出され得る。
【００６９】
部分的に閉鎖された下降過程Ａ３は、いわば直接互いに接続された、ステップＳＡ３１１〜ＳＡ３１４を有する閉鎖された下降過程Ａ３．１の連続と、これに直接つづく、ステップＳＡ３２１〜ＳＡ３２３を有する開放された下降過程Ａ３．２とで構成されている。結果として、部分的に閉鎖された下降過程Ａ３において、下降過程が２つの異なる下降速度、すなわち閉鎖された下降過程Ａ３．１における緩慢な下降速度と、開放された下降過程Ａ３．２における迅速な下降速度とによって実行可能であることが達成される。以下の図面に基づき更に明らかであるように、下降過程Ａ３のための実際の時間は、閉鎖された下降過程Ａ３．１と開放された下降過程Ａ３．２の間の切換点の巧みな選択によって可変に選択され得る。また、閉鎖された下降過程Ａ３．１と開放された下降過程Ａ３．２の間の切換点の可変の選択により、部分的に閉鎖された下降過程Ａ３において圧力媒体の圧力リザーバ９２内への貯留が可変に調整され得る。この貯留は、排気接続部３における排気過程すなわち雰囲気への排気過程においてエア乾燥装置６２の再生に使用され得る。
【００７０】
図６には、レベル閉ループ制御のために適当に設定されたエアバネ設備の形態の空圧設備９０の選択的に開放され及び閉鎖されたか又は部分的に閉鎖された動作による車体の上昇のための方法の３つの異なるバリエーションＢＨ１、ＢＨ２及びＢＨ３についての経過プログラムが示されている。図６には上昇過程の選択可能な動作態様のためにコンプレッサ−上昇過程Ｈ１、リザーバ−上昇過程Ｈ２及び充填された、充填−上昇過程Ｈ３が示されており、この充填−上昇過程は、ブースト動作においてなされる。コンプレッサ−上昇過程Ｈ１はステップＳＨ１１においてコントロールバルブ８１を介して排気バルブ７１のコントロールを行うようになっており、この過程においては、コントロールバルブ８１が制御信号ＳＥによって通電された第２の状態へ移行される。その結果、排気バルブ７１のコントロールピストン７１Ｓが逆止バルブ６１の閉止解除の下で操作されるので、空圧的なメイン管路６０及び排気管路７０が同時に開放される。つづいて、ステップＳＨ１２において、コンプレッサ３１のモータＭが、制御信号ＳＭによってコントロールされ、すなわち吸込み管路２０を介して吸込まれたエアの両圧縮段３１．１及び３１．２によるエア圧縮の下で操作される。したがって、コンプレッサ３１は、カウンタ圧力なしに、したがって、わずかな始動抵抗を伴って始動する。つづいて、ステップＳＨ１３においては、コントロールバルブ８１の通電が解除されることで、排気バルブ７１が再びコントロールされていない図１〜図４に示す切換状態へ移行される。この場合、排気管路７０が閉鎖され、コンプレッサは、逆止バルブ６１を流通方向へ開放しながら空圧的なメイン管路６０において圧力を上昇させる。したがって、圧力媒体接続部２において滞っている圧力媒体は、ステップＳＨ１４においてコントロールされ、これにより通電されて開放されたベローバルブ９３においてエアバネのベロー９１へ供給され得る。この通常のコンプレッサ−上昇過程Ｈ１は、リザーバ９２における不十分な圧力によりリザーバ−上昇過程Ｈ２が不可能であること、及び／又は不十分なリザーバ圧力によりバリエーションＢＨ３に基づくブースト動作が不可能であることを圧力センサ９７が示す場合に、通常は優先される。ステップＳＨ１５では無通電で閉鎖されるベローバルブ９３が示され、ステップＳＨ１６ではコントロールバルブ８１を介してコントロールされる排気バルブ７１が示されている。この組合せにおいてオンされた排出バルブと呼ばれるバルブは、空圧的なメイン管路６０及び排気管路７０をステップＳＨ１１に基づいて説明した態様で両側へ、エア乾燥装置６２の両側において開放する。つづいて、ステップＳＨ１７においてモータＭが制御信号ＳＭによってオフされ、そして、ステップＳＨ１８において、コントロールバルブの通電の中止の下で排気バルブが排気管路７０及び逆止バルブ６１の閉鎖をすることとなる。排気管路７０及び空圧的なメイン管路６０は、これにより無圧で切り換えられる。
【００７１】
閉鎖された動作バリエーションＢＨ２に基づくリザーバ−上昇過程Ｈ２について、以下では、ステップＳＨ２１〜ＳＨ２８を説明する。
【００７２】
リザーバ９２からの実際の上昇過程のために、ステップ２１は、まずリザーババルブ９４のコントロールを行うようになっている。これにより、このリザーババルブは通電されて開放された状態へ移行される。つづいて、ステップＳＨ２２では遮断バルブ９９が、ステップＳＨ２３では所望のベローバルブ９３が、コントロールされ、これにより、通電して開放された状態へ移行される。したがって、高い圧力レベルにおいてリザーバ９２から漏出する圧縮エアは、第２のギャラリ９５．２を介して、ステップＨ２における車体の上昇の下で第１のギャラリ９５．１へ、及びベロー管路９１Ｌへ、そしてベロー９１へ漏出される。図２、図３及び図４に示された実施形態においては、圧縮エアは、リザーバ９２から開放されたリザーババルブ９４及び開放された分離バルブ９９を介して直接ギャラリ９５へ漏出される。図１に示された実施形態においては、圧縮エアは、リザーバからあらかじめリザーバ管路９２Ｌ及び開放されたリザーババルブ９４を介してギャラリ９５へ漏出する。充填バルブ５１，５２は、コンプレッサ−上昇過程Ｈ１及びリザーバ上昇過程Ｈ２において各時点で非通電であり、すなわち、充填分岐管路９２ＺＬ．１あるいは９２ＺＬ．２は閉鎖されたままである。また、空圧的なメイン管路６０は、排気バルブ７１のコントロールされていない状態により、逆止バルブ６１の遮断方向へ閉鎖されている。
【００７３】
ステップＨ２４〜ＳＨ２６では、充填された充填−上昇過程が、リザーババルブ９４及び遮断バルブ９９の非通電で閉鎖された状態から始まっている。ステップＳＨ２７では、排気バルブ７１がコントロール下において、すなわち制御信号ＳＥによるコントロールバルブ８１の通電下で第２の切換状態へ移行される。その結果、空圧的なメイン管路６０及び排気管路７０は、例えばステップＳＨ１１及びＳＨ１６に基づき両側に開放された状態でエア乾燥装置６２のために移行される。これにより、空圧的なメイン管路６０及び排気管路７０の排気がなされ、これにより、ステップＳＨ２８において排気バルブ７１が、コントロールバルブ８１の非通電の状態において再び図１〜図４に示された第１の切換状態へ復帰する。
【００７４】
バリエーションＢＨ３に基づく充填された上昇過程Ｈ３は、実際の充填−上昇過程Ｈ３．１及びこの終了時にＨ３．２に基づく排気、すなわちステップＳＨ３１１〜ＳＨ３１５あるいはステップＳＨ３２１〜ＳＨ３２４による過程を行うようになっている。実際の充填された充填−上昇過程Ｈ３．１のために、ステップＳＨ３１１は、コントロールバルブ８１を介して排気バルブ７１のコントロールを行うようになっている。その結果、ステップＳＨ３１２では、コンプレッサ３１のモータが抵抗なしに始動することが可能である。つづいて、ステップＳＨ３１３においてコントロールバルブのコントロールが終了され、その結果、排気バルブ５１が排気管路７０を遮断し、メイン管路６０は、動作中のコンプレッサ３１において、コンプレッサ３１が適当な圧力を上昇させるとすぐに、逆止バルブ６１の開放によって流通方向へ開放される。つづいて、ステップＳＨ３１４においては、所望のベローバルブ９３がその通電のコントロールによって開放される。ステップＳＨ３１５では、更に並行して第１の充填バルブ５１が解放される。そして、閉鎖されたリザーババルブ９４においては、図１〜図４に示された実施形態において、圧力媒体も第２の圧縮段のリザーバ９２から供給され、これにより、空圧設備９０の上昇過程Ｈ３が開始される。これが終了すると、ステップＨ３２１において通電の中止の下でベローバルブ９３の閉鎖がなされるとともに、ステップＳＨ３２２においてやはり通電の中止の下で第１の充填バルブ５１の閉鎖がなされる。
【００７５】
つづいて、排気バルブ７１がコントロールバルブ８１を介してこの排気バルブ７０を解放する第２の状態へ移行されることで、ステップＨ３２３及びステップＨ３２４において圧縮エア供給設備が排気され、ステップＨ３２４においてモータが制御信号ＳＭによってオフされる。
【００７６】
図６に基づいて説明するように、選択的に開放、閉鎖又は部分的に閉鎖された圧縮エア供給設備１０の動作態様は、規則的にコンプレッサ３１の２段式の動作の下で、したがって、図６に基づいて説明されるように、充填される充填−上昇過程Ｈ３において、ベロー９１の上昇過程との組合せにおけるリザーバ９２の常に２段式の充填過程のみを可能とするものではない。むしろ、選択的に開放、閉鎖又は部分的に閉鎖された、例示的に説明される図１〜図４の圧縮エア供給設備１０の動作の利点は、図５に基づいて説明するように、とりわけ閉鎖された下降過程Ａ３．１あるいは開放された下降過程Ａ３．２が可変に切り換えられ得る部分的に閉鎖された下降過程Ａ３において生じる。例示的に記載された閉鎖あるいは開放された下降過程Ａ３．１及びＡ３．２が部分的に閉鎖された下降過程Ａ３のために適宜頻繁に組み合わされるとともに繰り返され得ると理解されるべきである。したがって、部分的に閉鎖された下降過程Ａ３は、単なる１回の、及び閉鎖された下降過程Ａ３．１の第１の実施及び単なる１回の、及び開放された下降過程Ａ３．２の第２の実施に明確に制限されない。むしろ、順番は、まず開放された下降過程Ａ３．２、つづいて閉鎖された下降過程Ａ３．１が実行されるようになされることが可能である。また、まず閉鎖された下降過程Ａ３．１がなされ、その後開放された下降過程Ａ３．２がなされ、最後に再び閉鎖された下降過程Ａ３．１がなされること、すなわち２回の閉鎖された下降過程Ａ３．１と、その間にある開放された下降過程Ａ３．２がなされることも可能である。まさに同じように、逆に、まず開放された下降過程Ａ３．２がなされ、最後に、開放された下降過程Ａ３．２がなされ、この間にある閉鎖された下降過程Ａ３．１が行われることも可能である。また、部分的に閉鎖された下降過程Ａ３の順序において、４つの交互に異なる下降過程のセット又はそれより多くの交互に異なる下降過程のセットを行うことも可能である。閉鎖された下降過程Ａ３．１と開放された下降過程Ａ３．２の間の切換時点は、空圧システム、特に空圧設備及び／又は圧縮エア供給設備１０のシステム状態に依存して生じる。例えば、閉鎖された下降過程から開放された下降過程へ切り換えるために、すなわち例えば上側の限界リザーバ圧力に達すると、リザーバ９２のリザーバ圧力が決定的な大きさとして把握され得る。また、下側の限界圧力に達すると、開放された下降過程から閉鎖された下降過程へ切り換えられることも可能である。また、単独又はリザーバ圧力との組合せにおいて、閉鎖された下降過程Ａ３．１と開放された下降過程Ａ３．２の間の切換時点、すなわち、最終的に図５のステップＳＡ３１４からステップＳＡ３２１へ又はこれとは逆にステップＳＡ３２３からステップＳＡ３１２への移行時点を設定するために、レベルＮ、特にそこから下降されるべきレベルＮが利用され得る。
【００７７】
下降過程時におけるバリエーションＢＡ３の設定に基づく開放された動作から閉鎖された動作又はこれとは逆の切換過程のために、異なる、要求に応じて様々な条件があらかじめ設定され得る。したがって、例えばオンボード電源電圧は、コンプレッサあるいはコンプレッサ３１のモータＭが解放されないようにわずかであり得る。それにもかかわらず、ここでのコンセプトでは、特に開放された１つの下降過程が可能である。また、他の例においては、車両指令が存在し、この車両指令は、コンプレッサ動作が解放されないようにあらかじめ設定するものである。これは、オンボード電源電圧を維持すべき場合に、例えば他の消費装置のより価値の高い動作のときに生じ得る。これにもかかわらず、ここでも特に開放された下降過程が可能である。
【００７８】
また、充填状態は、単独で、又はリザーバ圧力ＲＤすなわちリザーバ９２内の圧力と組み合わせてこのような時点の特定のために利用されることも可能である。また、リザーバ圧力の充填及びここから下降されるべき実際のレベル位置との組合せも、切換時点を特定するために利用可能である。加えて、切換時点を特定するために、単独での、又は１つの上記パラメータであるリザーバ圧力との組合せにおいて、ここから下降されるべき実際のレベル位置及び乾燥装置の湿度充填度の充填を利用することが可能である。すなわち、例えば、エア乾燥装置６２の測定されたか、又は予想された湿度充填を考慮して必要である場合には、例えばエア乾燥装置５２の再生のためのいわば追加的な圧力過剰を利用するために、リザーバ９２がより高いリザーバ圧力に充填されることが可能であることが明らかである。充填状態は、例えばベロー圧力又はほかの方法で予想されることが可能である。
【００７９】
全体として、本発明のコンセプトに基づき、及び例えば図１〜図４の実施形態に基づき説明した空圧システムにより、バルブ装置８０のような簡易化された排気装置を設けることができるとともに、例えば圧力センサ９７をギャラリ９５に接続することでリザーバ圧力の簡易化された測定も可能であり、同時に、圧力センサ９７によって、ベロー圧力単独又は累積的に他のベローと共に計測されることが可能である。リザーバ９２のための追加的な圧力媒体の持続的なストック及び生成に基づき、最大のリザーバ圧力が基本的に削減可能であることが明らかである。なぜなら、圧力媒体は、基本的に短いクロックスピードでフレキシブルに、及び場合によっては追加的に生成可能に利用可能であるためである。また、リザーバ９２における使用可能な圧力媒体は、適宜の高さ又は上昇過程の特定の複数のためにもはや使用可能である必要はないことも明らかである。むしろ、１回だけの上昇過程に十分な圧力媒体のストックは十分であると判明した。
【００８０】
第１及び／又は第２の充填バルブ５１，５２は、最大で０．５〜１．５ｍｍ、好ましくは０．６〜０．８ｍｍの比較的小さな公称幅で設定可能であることが明らかである。また、第１及び／又は第２の絞りも１．８ｍｍより小さな、特に１．７ｍｍより小さな比較的おおまかな公称幅で設定可能であることも明らかである。これは、一方ではエア乾燥装置の再生性能が損傷を受けることなく、また他方では送風時間における妥協が不利に必要となることなく、特に第１の絞り、すなわちここでは再生絞り６４に該当する。特に、第２の絞り、すなわちここでは排気絞り７４の構成が１．０ｍｍより小さく、特に０．８ｍｍより小さいことが明らかである。これにより、１．５〜２．５ｍｍ、特に１．６〜２．２ｍｍ、特に約１．７〜２．０ｍｍの範囲での公称幅を有する排気バルブの比較的おおまかな設定が可能となる。
【００８１】
この設定において、本発明のコンセプトによれば、図６に基づいて説明したように、基本的にリザーバ−上昇過程Ｈ２が可能となるとともに、増加的に利用可能である。これにより、好ましい制限されたコンプレッサ動作につながる。この代わりに、必要な場合には、充填された充填−上昇過程Ｈ３を実行することが可能である。しかしながら、基本的には、コンプレッサ−上昇過程Ｈ１も可能である。他方、本発明のコンセプトにより、図５に基づいて説明したように、基本的に閉鎖された下降過程Ａ２を利用可能である一方、迅速な過程においても完全に開放された下降過程も利用可能であることが可能となる。しかし、リザーバ９２における圧力レベルを比較的高いレベルに維持するために協働して利用されることが可能な部分的に閉鎖された下降過程Ａ３が好ましい。
【００８２】
本発明のコンセプトの利用の下で、基本的には閉鎖された下降過程Ａ２、又は部分的に閉鎖された下降過程Ａ３におけるより緩慢な下降が目指されていることが明らかである。しかしながら、コンプレッサ３１の２段式の動作における閉鎖された下降過程Ａ２においては、リザーバ９２におけるリザーバ圧力が高められる。なぜなら、第１の圧縮段がリザーバ圧力の上昇に役立つ圧力媒体を供給するためである。他方では、例えば一定の上昇速度を得るか、又は必要な場合に、改善され、かつエア乾燥装置６２のより頻繁な再生を行うために、リザーバ内では追加的に、したがって可変に供給される圧力媒体が使用され得る。全体として、本発明のコンセプトは、好ましい削減されたコンプレッサ作動時間に導くものである。なぜなら、コンプレッサ３１の動作は、利用の場合に特に効果的であり、均等に高いフル稼働によってなされ、追加的に、過剰な圧力媒体をリザーバ９２に維持する可能性を与えられているためである。このような、及び他の利点は、特に、図１〜図４の空圧システムの所定の上昇−下降シーケンスに対する、図７〜図９ｂにおいて例示的に説明される圧力経過により、実施形態とは無関係に明らかになる。
【００８３】
したがって、例えば第１の例において−３５ｍｍから６３ｍｍへのレベル上昇間の３回の上昇−下降過程時、及びこれにつづく１８ｂａｒまでのリザーバ充填過程において１０ｌのリザーバ容積に対して１８ｂａｒのリザーバ最大圧力におけるリザーバ内の１８ｂａｒの開始圧力から以下のことが明らかである。
【００８４】
コンプレッサの作動時間は、部分的に閉鎖された動作なしの動作の場合における１９４秒から部分的に閉鎖された動作を持つ９６秒へ削減されている。下降過程は、ほぼ２倍の加工時間によって生じる。しかしながら、このために、より重要な絶対的な上昇時間が半分にされる。上昇時の速度は、削減された上昇時間においても常に一定に維持されている。同一のパラメータに基づく第２の例においては、すなわち１８ｂａｒの最大リザーバ圧力において１２ｂａｒのリザーバ内での開始圧力に基づき１０ｌのリザーバ容積における１８ｂａｒへのリザーバのつづいての充填の際に閉鎖された−３５ｍｍと６３ｍｍの間の３倍の上昇−下降過程において以下の改善が生じる：コンプレッサの作動時間が３３０秒（部分的に閉鎖された動作なし）から２１４秒（部分的に閉鎖された動作あり）へ削減される。下降は、約２倍の時間で実行される。しかしながら、上昇過程についてのこの時間が半分にされるとともに、上昇速度は、上昇時において一定である。
【００８５】
第３の例においては、−３５ｍｍと６３ｍｍの間の３倍の上昇−下降シーケンスにおいて及びつづく５ｌのリザーバ容積における１８ｂａｒまでのリザーバ充填において、並びに１８ｂａｒの最大リザーバ圧力における１８ｂａｒのリザーバの開始圧力において、以下の結果が生じる。
【００８６】
コンプレッサ３１の作動時間が部分的に閉鎖された動作なしの１８１秒から９５秒へ削減される。下降過程は、ほぼ２倍の時間が必要となる一方、上昇過程についての時間は半分に短縮されているとともに、上昇過程はほぼ常に一定の速度で行われる。
【００８７】
全ての例において、上昇−下降シーケンスが適宜頻繁に繰り返され得ることが明らかである。なぜなら、各システム状態において十分な圧力媒体がリザーバにおいて供給されるためである。最終的には、この認識により、リザーバ構造容積を例えば５ｌへ削減するために本発明のコンセプトが決定的に利用され得ることとなる。これは、車両のエンジンルーム又は車両空間における限られた構造容積において多大な利点を示すものである。特に、削減されたリザーバ構造容積においてそれにもかかわらずより高い最大圧力のための例えば例えば８ｌのリザーバ容積のリザーバ体を設定することができるように、本発明のコンセプトが使用可能であることも明らかである。
【００８８】
この点について、個々の例示的な圧力経過が図７〜図９ｂに示されている。
【００８９】
図７には、秒［ｓ］を単位とする時間ｔについて車高として示されたフロントアクスルＶＡ及びリヤアクスルＨＡのレベルＮの経過に対して、［ｂａｒ］を単位とするリザーバ圧力ＲＤの経過が示されている。ｔ１とｔ２の間で行われる上昇−下降シーケンスの上昇過程は、図６に基づいて説明したように、ステップＳＨ２１からＳＨ２８の実行の下でのリザーバ−上昇過程Ｈ２である。時点ｔ３とｔ４の間で行われる下降過程は、ステップＳＡ２１からＳＡ２５の実行の下での、すなわち少なくとも１つの圧力媒体充填接続部１．１，１．２で滞っている充填された圧力媒体ｇＤＭ及び第１の圧縮段３１．１から第２の圧縮段３１．２へ供給される別の圧力媒体ｔＤＭの本質的な案内による閉鎖された下降過程Ａ２である。
【００９０】
リザーバ圧力ＲＤと呼ばれるリザーバ９２のリザーバ圧力は、リザーバ−上昇過程Ｈ２において低下し、ｔ２とｔ３の間の切換過程中には一定に維持され、それから、ｔ３とｔ４の間の閉鎖された下降過程Ａ２においては上昇する。ｔ８付近でわずかに変更された経過は、フロントアクスルについての上昇過程の終了及びリヤアクスルＨＡについての下降過程の開始を示すものである。時点Ｔ０は、リザーバ圧力ＲＤが時点ｔ１あるいはリザーバ９２の上昇過程の前に開始圧力へ達する時点を示している。この場合、この圧力は、ぎりぎり１４ｂａｒ未満にある。閉鎖された下降過程Ａ２のステップＳＡ２４，ＳＡ２５及びＳＡ２６の範囲における下降過程全体中の連続した圧力媒体を圧縮する第１の圧縮段３１．１の動作により、時点ｔ３後のリザーバ９２における圧力ゲインはベロー９１からの圧力ΔＲＤ１のみに割り当てられるべきではなく、第１の圧縮段３１．１からの圧力ΔＲＤ２にも割り当てられるべきである。したがって、全体的な圧力変化ΔＲＤは、ΔＲＤ１＋ΔＲＤ２として生じ、これは、少なくとも１つの圧力媒体接続部１．１，１．２において滞っている充填された圧力媒体ｇＤＭ及び第１の圧縮段３１．１から第２の圧縮段３１．２へ供給される別の圧力媒体ｔＤＭの同時の案内のための充填装置３０の形成によるものである。この点において追加的に得られるリザーバ圧力ΔＲＤ２は、例えば、乾燥装置再生の際に乾燥装置６２のできる限り効果的な再生のためにリザーバの排気及びリザーバ圧力の時点ｔ１における例えば１４ｂａｒの大きさの初期圧力への低下によって配慮するために利用され得るものである。追加的な圧力の大きさΔＲＤ２は、場合によってはあり得る漏れの場合に、この漏れを補償するために使用され得る。そのほか、閉鎖されたシステムのエネルギー的な利点が閉鎖された下降過程Ａ２において、すなわち、特にコンプレッサ３１あるいはモータＭのより短い作動時間が利用され得る。そのほか、圧縮プロセスが熱力学的により良いことが分かる。コンプレッサの第１の圧縮段３１．１からの高温のエアのみならず、ベロー９１からの低温のエアも圧縮される。実際には、熱力学的により効果的な中間冷却が圧縮プロセスにおいて生じる。
【００９１】
図８には、図７に基づいて説明したように多数の上昇−下降シーケンスの連続が実行される場合には本質的に本発明のコンセプトの利点が示されている。ここでも、フロントアクスルＶＡの車高及びリヤアクスルＨＡの車高が車高として時間について記載されているとともに、更にリザーバ圧力ＲＤとして記載されたリザーバ９２の圧力も記載されている。それぞれ一定の周期時間Ｔにわたって実行される示された上昇−下降シーケンスにおいて、図５に基づいて説明したように部分的に閉鎖された下降過程Ａ３が使用される。部分的に閉鎖された下降過程Ａ３の第１の使用は、ステップＳＡ３１５とＳＡ３２１の間の切換過程によって、リザーバ９２の最大圧力ＲＤｍａｘが下降過程時に１８ｂａｒの大きさを超過しないようになされる。閉鎖された下降過程Ａ３．１と開放された下降過程Ａ３．１の間の適切に選択された移行はそれぞれ時点ｔ７において認識可能であり、この時点ｔ７においては、リヤアクスルの平坦な側面Ｆ１−ＨＡがリヤアクスルＨＡの急峻な側面Ｆ２−ＨＡへ移行しているとともに、リザーバ圧力ＲＤが頂点平坦部Ｐ−ＲＤへ移行している。したがって、切換時点ｔ７においては、リヤアクスルＨＡの下降速度が閉鎖された下降過程Ａ３．１における緩慢な下降速度から開放された下降過程Ａ３．２における迅速な下降速度へ高められる。リザーバ圧力ＲＤは、時点ｔ７の後の開放された下降過程Ａ３．２において、時点ｔ７の前の上昇する側面からほぼ一定のリザーバ圧力ＲＤの頂点平坦部Ｐ−ＲＤへ移行する。しかし、結果的に、部分的に閉鎖された下降過程Ａ３の選択は、実際、閉鎖された下降過程Ａ３．１と開放された下降過程Ａ３．２の間の切換時点が巧みに選択されるか、あるいはシステム前提条件に依存して選択される場合に、システム条件にかかわらず下降−上昇シーケンスの周期時間Ｔが常に一定に選択され得るという利点を有している。とりわけ、まだ存在する開放された下降過程Ａ３．２においても上昇−下降シーケンスの無限の反復性に対して十分であるために、リザーバ９２のリザーバ圧力が十分であることが明らかである。
【００９２】
図９Ａには、上昇−下降−上昇シーケンスのための選択的に開放され、閉鎖され、又は部分的に閉鎖される下降動作の本コンセプトの範囲において時間軸にわたって再びフロントアクスルＶＡ及びリヤアクスルＨＡの車高が示されている。ここでは、更に、時間ｔ１からｔ２の間の第１の時間枠においてリザーバ−上昇過程Ｈ２が設定されており、時点ｔ３とｔ７の間では閉鎖された下降過程Ａ３．１が設定されており、ｔ７とｔ４の間では開放された下降過程Ａ３．２が設定されている。すなわち、全体的には、部分的に閉鎖された下降過程が設定されている。つづいて、時点ｔ６とｔ９の間では再びリザーバ上昇Ｈ２が追従する。この点について、図８に基づいて示されたように、周期Ｔの拡大された部分が図９に示されている。記号は、図８におけるように選択されている。その結果、以下では、個々において図８の説明に関連付けられている。図９Ａには、図７と類似して、追加的に時点ｔ８が示されており、この時点ｔ８は、実際には完了したフロントアクスルＶＡのための下降過程及び開始されたリヤアクスルＨＡのための下降過程の時点ｔ８を表している。時点ｔ７は、閉鎖された下降過程から開放された下降過程への切換のための図８及び図７に示された時点ｔ７に相当する。周期Ｔの経過後には、すなわち時点ｔ６において開始して時点ｔ１からｔ４及びｔ７の連続が繰り返され、このとき、時点ｔ６が時点ｔ１に相当し、時点ｔ９が時点ｔ２に相当する。
【００９３】
比較のために、図９Ｂには同一のパラメータに対して上昇−下降シーケンスが図９Ａの時点ｔ１からｔ４に本質的に対応する時点ｔ１’，ｔ２’，ｔ３’，ｔ４’によって示されている。しかしながら、この場合、部分的に閉鎖された動作Ａ３なしに上昇−下降シーケンスが構成されている。これは、上昇がリザーバ上昇Ｈ２過程として実行され得るものの下降は図６に基づいて説明した開放された下降過程Ａ１において実行され得るという結果を伴うものである。リザーバ９２のリザーバ圧力ＲＤは、リザーバ上昇Ｈ２過程中に低下し、開放された下降過程Ａ１中には最大リザーバ圧力ＲＤｍａｘよりもはるかに下の一定のレベルに維持される。したがって、時点ｔ６’でリザーバからの新たな上昇によって開始される反復されるシーケンスにおいては、リザーバ圧力ＲＤが更に低下し、加えて時点ｔ９’まで持続するものの、ｔ９’とｔ６’の間の間隔はｔ２’とｔ１’の間の間隔よりも非常に長い。このことは、２つの欠点を有している。１つは、Ｔ１＋ΔＴを有する第２のシーケンスが第１のシーケンスＴ１よりもはるかに長いことである。もう１つは、十分なリザーバ圧力を供給するため、リザーバからの更なる上昇のために自らあらかじめ経過した閉鎖された下降Ａ２においてもまずコンプレッサ３１を動作させる必要があることである。このことは、慣用の設定に基づき、１つにはリザーバ容積、特にリザーバ構造容積が少なくとも２倍の上昇過程に対して設定されている必要があること、及びもう１つには、上昇−下降シーケンスを更に延長させるリザーバ圧力の充填のためのコンプレッサ動作がその間に目標圧力へなされることに結びつく。したがって、本発明のコンセプトは、図９Ａと図９Ｂの比較が示すように、コンプレッサ作動時間の有効な活用及びより安定したリザーバ圧力のみならず全体として上昇−下降シーケンスのための時間の短縮に結びつくものである。この上昇−下降シーケンスは、更に任意の頻度で繰り返されることが可能である。なぜなら、経過時にかなり一定であるためである。
【符号の説明】
【００９４】
０            吸込み接続部
０．３        フィルタ
１            圧力媒体供給部
１．１，１．２  第１、第２の圧力媒体充填接続部
２            圧力媒体接続部
３            排気接続部
７            分岐接続部
１０．１，１０．２，１０．３，１０．４  圧縮エア供給設備
２０          吸込み管路
２０．１，２０．１  第１及び第２の圧力媒体充填管路
２１          コンプレッサ管路
３０．１，３０．２，３０．３，３０．４  充填装置
３１          コンプレッサ
３１．１，３１．２  第１、第２の圧縮段
４１，４２    第１、第２の公称幅調整可能な絞り
４３，４４    第１、第２の公称幅固定の絞り
５１，５２    第１、第２の充填バルブ
６０          空圧的なメイン管路
６１          逆止バルブ
６２          エア乾燥装置
６４          再生絞り
７０          排気管路
７１          排気バルブ
７１Ｓ        排気バルブの制御接続部
７４          排気絞り
８０          電磁バルブ装置
８１          コントロールバルブ
９０          空圧設備
９１          ベロー
９１Ｌ        ベロー管路
９２          リザーバ
９２Ｌ        リザーバ管路
９２ＺＬ．１，９２ＺＬ．２  充填分岐管路
９３          ベローバルブ
９４          リザーババルブ
９５，９５．１，９５．２  ギャラリ、第１、第２のギャラリ
９６，９６．１，９６．２，９６．３  空圧的な接続管路、第１、第２の空圧的な接続管路、空圧的な管路
９７          圧力センサ
９７Ｌ        圧力センサライン
９８．１      第１のバルブブロック
９８．２      第２のバルブブロック
９９          分離バルブ
１００．１，１００．２，１００．３，１００．４  空圧システム
１１０，１１１，１１２，１１７  コントロール管路、空圧管路
ｇＤＭ        充填された圧力媒体
ｔＤＭ        別の、特に部分的に圧縮された圧力媒体
ＢＡ１，ＢＡ２，ＢＡ３  下降過程のバリエーション、動作態様ＢＡ開放、閉鎖、部分閉鎖
Ａ１          開放された下降過程
Ａ２          閉鎖された下降過程
Ａ３          部分的に閉鎖された下降過程
Ａ３．１，Ａ３．２  加工過程の一部
Ｆ１−ＨＡ    リヤアクスルの平坦な側面
Ｆ２−ＨＡ    リヤアクスルの急峻な側面
ＶＡ，ＨＡ    フロントアクスル、リヤアクスル
ＢＨ１，ＢＨ２，ＢＨ３  上昇過程のバリエーション、動作態様ＢＡ開放、閉鎖、部分閉鎖
Ｈ１          開放された（コンプレッサ）上昇過程
Ｈ２          閉鎖された（リザーバ）上昇過程
Ｈ３          部分的に閉鎖された（充填）上昇過程
Ｈ３．１，Ｈ３．２  上昇過程の一部
Ｍ            モータ
Ｎ            レベル信号
Ｐ            頂点平坦部
ＲＤ          リザーバ圧力
ＲＤ１，ＲＤ２  圧力
Ｓ            空圧コントロールモデル
ＳＡ          方法ステップ
ＳＤ１，ＳＬ１，ＳＬ２，ＳＭ，ＳＥ，ＳＴ  制御信号
ｔ１〜ｔ９    時点
Ｔ            周期
【図１】
2015518116.tif 000003
【図２】
2015518116.tif 000004
【図３】
2015518116.tif 000005
【図４】
2015518116.tif 000006
【図５】
2015518116.tif 000007
【図６】
2015518116.tif 000008
【図７】
2015518116.tif 000009
【図８】
2015518116.tif 000010
【図９Ａ】
2015518116.tif 000011
【図９Ｂ】
2015518116.tif 000012
【国際調査報告】
2015518116.tif 000013
2015518116.tif 000014
2015518116.tif 000015
2015518116.tif 000016